(57)【要約】【課題】演出の幅を広げることができ、フリーズ中において遊技者を飽きさせないようにすることができ、遊技の興趣を向上させることができる遊技機を提供することを目的とする。【解決手段】ｎ個の回転リール45と、回転リール45の回転を開始させるためのスタートスイッチ33と、回転リール45の回転を停止させるためのストップスイッチ34と、スタートスイッチ33の操作を契機に、遊技を進行させることができないフリーズ状態を実行するフリーズ制御手段140と、を備え、フリーズ制御手段140は、回転リール45の態様が異なる複数のフリーズ状態を実行可能に形成され、所定の契機により、フリーズ制御手段140による一のフリーズ状態を他のフリーズ状態に切り替えるフリーズ状態切替手段150を備える。【選択図】図１
2011194146.tif 000002
【特許請求の範囲】
【請求項１】
周囲に複数の図柄が付されたｎ個（ｎ≧１）の回転リールと、
すべての回転リールの回転を開始させるためのスタートスイッチと、
各回転リールに対応して設けられるとともに、回転リールの回転を停止させるためのストップスイッチと、を備え、
遊技媒体のベットにより遊技の開始を可能とし、スタートスイッチの操作により回転リールの回転を開始させるとともに、複数の役のいずれかに当選かまたはハズレかの抽選を行い、該抽選の結果およびストップスイッチの操作に基づいて回転リールの回転を停止させ、当選した役に係る図柄の組み合わせが揃ったか否かの判定を行い、該判定の結果に応じて所定の利益を遊技者に付与する又は付与しないことで１回の遊技が終了する遊技機であって、
遊技機は、
スタートスイッチの操作を契機に、遊技を進行させることができないフリーズ状態を実行するフリーズ制御手段を備え、
フリーズ制御手段は、回転リールの態様が異なる複数のフリーズ状態を実行可能に形成され、
所定の契機により、フリーズ制御手段による一のフリーズ状態を他のフリーズ状態に切り替えるフリーズ状態切替手段を備えることを特徴とする遊技機。
【請求項２】
遊技機は、回転リールの回転速度が回転開始後に所定の定常速度になることによって、遊技の進行に係るストップスイッチの操作が有効となるように形成され、
フリーズ状態切替手段は、
フリーズ状態において、ストップスイッチの操作を契機に、対応する回転リールの回転を仮停止させることによって、一のフリーズ状態を他のフリーズ状態に切り替えるように形成され、
フリーズ制御手段は、所定の終了条件を満たすことにより、フリーズ状態を終了するように形成され、
回転リールの回転が仮停止している状態でフリーズ状態が終了した場合には、仮停止している回転リールの回転が、所定の定常速度になるように回転可能に形成されていることを特徴とする請求項１記載の遊技機。
【請求項３】
フリーズ状態切替手段は、
ｍ個（ｎ≧ｍ≧１）の回転リールが回転しているフリーズ状態において、回転中の回転リールに対応するストップスイッチが操作された場合には、該ストップスイッチに対応する回転リールの回転を仮停止させ、まだ回転中の回転リールがあるときには、仮停止している回転リールを除くｍ−１個の回転リールが回転しているフリーズ状態に切り替えるように形成されていることを特徴とする請求項２記載の遊技機。
【請求項４】
フリーズ制御手段は、ｎ個すべての回転リールの回転が仮停止しているフリーズ状態において、所定の条件下におけるスタートスイッチの操作を契機に、フリーズ状態を終了することがあるように形成されていることを特徴とする請求項２又は３記載の遊技機。
【請求項５】
周囲に複数の図柄が付されたｎ個（ｎ≧１）の回転リールと、
すべての回転リールの回転を開始させるためのスタートスイッチと、
各回転リールに対応して設けられるとともに、回転リールの回転を停止させるためのストップスイッチと、を備え、
遊技媒体のベットにより遊技の開始を可能とし、スタートスイッチの操作により回転リールの回転を開始させるとともに、複数の役のいずれかに当選かまたはハズレかの抽選を行い、該抽選の結果およびストップスイッチの操作に基づいて回転リールの回転を停止させ、当選した役に係る図柄の組み合わせが揃ったか否かの判定を行い、該判定の結果に応じて所定の利益を遊技者に付与する又は付与しないことで１回の遊技が終了する遊技機であって、
遊技機は、
スタートスイッチの操作を契機に、遊技を進行させることができないフリーズ状態を実行するフリーズ制御手段と、
フリーズ状態において、回転リールを所定の態様で回転又は仮停止させる回転リール演出を実行する回転リール演出制御手段と、を備え、
回転リール演出制御手段は、
回転リール演出を実行中において、所定のスイッチの操作を契機に、回転リールの態様を、現在行っている態様とは異なる態様に変化させるように形成されていることを特徴とする遊技機。
【請求項６】
回転リール演出制御手段は、
ｍ個（ｎ≧ｍ≧１）の回転リールが回転している回転リール演出を実行中に、回転中の回転リールに対応するストップスイッチが操作された場合には、該ストップスイッチに対応する回転リールの回転を仮停止させることによって、回転リールの態様を変化させるように形成されていることを特徴とする請求項５記載の遊技機。
【発明の詳細な説明】
【技術分野】
【０００１】
本発明は、遊技機に関し、更に詳しくは、複数の回転リールを備えた遊技機に関する。
【背景技術】
【０００２】
従来、この種の遊技機、たとえばスロットマシンでは、メダルをベットすると遊技が開始可能となり、スタートスイッチを操作すると、複数の役のいずれかに当選か又はハズレかの抽選（役抽選）が行われるとともに、すべての回転リールの回転が開始する。そして、いずれかのストップスイッチを操作すると、当該ストップスイッチに対応した回転リールの回転が停止し、すべてのストップスイッチの操作を終えると、すべての回転リールの回転が停止する。このとき、いずれかの有効な入賞ライン上に、役抽選で当選した役に対応する図柄の組み合わせが揃うと、当該役に入賞となり、入賞した役に応じた利益が遊技者に付与されて、１回の遊技が終了する。
【０００３】
最近のスロットマシンでは、遊技が単調になることを防止するために様々な演出が実行される。そのような演出の一つとしてフリーズと称されるものが知られている。フリーズとは、遊技を進行させることができないような状態にするものである。そして、このようなフリーズ中に、役抽選の結果を報知するスロットマシンが知られている。たとえば、特許文献１には、すべてのリールについての遊技者によるリール停止操作を無効にする告知期間（フリーズ）中に、役抽選の結果を報知するスロットマシンが開示されている。
【先行技術文献】
【特許文献】
【０００４】
【特許文献１】特開２００９−５７０号公報
【発明の概要】
【発明が解決しようとする課題】
【０００５】
ところで、上述したフリーズ中では、遊技者は何らの操作も行うことがでないため、フリーズは、遊技者にとって極めて受動的な遊技性であった。また、フリーズ中における演出（報知）も、単調なものであった。このため、フリーズ中においては、遊技者は、演出（報知）を見聞きしながらフリーズが終了するのを待つ以外にすることが無く、遊技者に飽きられやすかった。
そこで、本発明は、演出の幅を広げることができ、フリーズ中において遊技者を飽きさせないようにすることができ、遊技の興趣を向上させることができる遊技機を提供することを目的とする。
【課題を解決するための手段】
【０００６】
（請求項１）
請求項１記載の発明は、周囲に複数の図柄が付されたｎ個（ｎ≧１）の回転リール45と、すべての回転リール45の回転を開始させるためのスタートスイッチ33と、各回転リール45に対応して設けられるとともに、回転リール45の回転を停止させるためのストップスイッチ34と、を備え、遊技媒体のベットにより遊技の開始を可能とし、スタートスイッチ33の操作により回転リール45の回転を開始させるとともに、複数の役のいずれかに当選かまたはハズレかの抽選を行い、該抽選の結果およびストップスイッチ34の操作に基づいて回転リール45の回転を停止させ、当選した役に係る図柄の組み合わせが揃ったか否かの判定を行い、該判定の結果に応じて所定の利益を遊技者に付与する又は付与しないことで１回の遊技が終了する遊技機であって、遊技機は、スタートスイッチ33の操作を契機に、遊技を進行させることができないフリーズ状態を実行するフリーズ制御手段140を備え、フリーズ制御手段140は、回転リール45の態様が異なる複数のフリーズ状態を実行可能に形成され、所定の契機により、フリーズ制御手段140による一のフリーズ状態を他のフリーズ状態に切り替えるフリーズ状態切替手段150を備えることを特徴とする。
【０００７】
ここで、「ｎ」は、１以上の正整数を意味する。つまり、本発明では、１個以上の回転リール45が備えられる。例えば、ｎ＝３の場合、遊技用の３個の回転リール45を備えることができ、また、例えば、ｎ＝４の場合、遊技用の３個の回転リール45（メインリール）と、演出用の１個の回転リール45（サブリール）とを備えることができる。
また、「フリーズ状態」とは、遊技を進行させることができない状態をいい、「フリーズ制御手段」とは、フリーズ状態を制御するものである。
ここで、「遊技を進行させることができない状態」にするための制御としては、例えば、（１）通常の遊技の進行であれば本来有効になるはずのスイッチを有効にしない、（２）通常の遊技の進行であれば本来行われるはずの処理を保留する、又は処理を行わない、（３）通常の遊技の進行に係るスイッチが操作された場合に、そのスイッチから信号を送信させない、又はそのスイッチからの信号の送信を保留して所定時間遅延させる、（４）通常の遊技の進行に係るスイッチが操作された場合に、そのスイッチから信号を受け付けない（無視する）、などとすることができる。
【０００８】
本発明では、フリーズ制御手段140は、スタートスイッチ33の操作を契機に、フリーズ状態を実行するので、例えば上記した（２）の後段の制御を行うとすれば、フリーズ制御手段140は、スタートスイッチ33の操作を契機に、回転リール45の回転が開始され、その後、ストップスイッチ34が有効にはされるが、当該ストップスイッチ34が操作された場合に、通常の遊技の進行であれば本来行われるはずの回転リール45の回転を停止させる処理を行わないようにすることで、フリーズ状態を実行することができる。
また、本発明では、フリーズ状態には、回転リール45の態様が異なる複数のフリーズ状態がある。
【０００９】
また、「フリーズ状態切替手段」は、フリーズ状態を切り替えるものである。
本発明では、スタートスイッチ33の操作を契機に、フリーズ制御手段140は、フリーズ状態を実行し、所定の契機により、フリーズ状態切替手段150は、フリーズ状態を切り替える。
（請求項２）
請求項２記載の発明は、上記請求項１記載の発明の特徴に加え、遊技機は、回転リール45の回転速度が回転開始後に所定の定常速度になることによって、遊技の進行に係るストップスイッチ34の操作が有効となるように形成され、フリーズ状態切替手段150は、フリーズ状態において、ストップスイッチ34の操作を契機に、対応する回転リール45の回転を仮停止させることによって、一のフリーズ状態を他のフリーズ状態に切り替えるように形成され、フリーズ制御手段140は、所定の終了条件を満たすことにより、フリーズ状態を終了するように形成され、回転リール45の回転が仮停止している状態でフリーズ状態が終了した場合には、仮停止している回転リール45の回転が、所定の定常速度になるように回転可能に形成されていることを特徴とする。
【００１０】
ここで、「仮停止」とは、フリーズ状態において、回転リール45の回転が仮に停止している状態をいい、フリーズ状態以外の状態において、回転リール45の回転が停止している状態とは異なる状態をいう。すなわち、回転リール45の回転が仮停止した場合には、１回の遊技において、仮停止した回転リール45がその後再び回転可能であるが、回転リール45の回転が停止した場合には、１回の遊技において、停止した回転リール45がその後、再び回転することはない。
つまり、本発明において、回転リール45の状態としては、「回転中」と、「停止」と、「仮停止」とがある。
【００１１】
本発明では、フリーズ状態において、ストップスイッチ34の操作を契機に、フリーズ状態切替手段150は、対応する回転リール45の回転を仮停止することよって、フリーズ状態を切り替える。また、回転リール45の回転が仮停止している状態でフリーズ状態が終了した場合には、仮停止している回転リール45の回転が所定の定常速度になるように回転させる。
（請求項３）
請求項３記載の発明は、上記請求項２記載の発明の特徴に加え、フリーズ状態切替手段150は、ｍ個（ｎ≧ｍ≧１）の回転リール45が回転しているフリーズ状態において、回転中の回転リール45に対応するストップスイッチ34が操作された場合には、該ストップスイッチ34に対応する回転リール45の回転を仮停止させ、まだ回転中の回転リール45があるときには、仮停止している回転リール45を除くｍ−１個の回転リール45が回転しているフリーズ状態に切り替えるように形成されていることを特徴とする。
【００１２】
ここで、「ｍ」は、１以上ｎ以下の正整数を意味する。例えば、ｎ＝３の場合、ｍは、「１」、「２」、又は「３」のいずれかとなる。つまり、ｎ＝３の場合、３個すべての回転リール45が回転しているフリーズ状態において、回転中の回転リール45に対応するストップスイッチ34が操作された場合には、該ストップスイッチ34に対応する回転リール45の回転を仮停止させ、２個の回転リール45が回転しているフリーズ状態に切り替えるようにすることができ、また、２個の回転リール45が回転しているフリーズ状態において、回転中の回転リール45に対応するストップスイッチ34が操作された場合には、該ストップスイッチ34に対応する回転リール45の回転を仮停止させ、１個の回転リール45が回転しているフリーズ状態に切り替えるようにすることができ、また、１個の回転リール45が回転しているフリーズ状態において、回転中の回転リール45に対応するストップスイッチ34が操作された場合には、該ストップスイッチ34に対応する回転リール45の回転を仮停止させるようにすることができる。
【００１３】
（請求項４）
請求項４記載の発明は、上記請求項２又は３記載の発明の特徴に加え、フリーズ制御手段140は、ｎ個すべての回転リール45の回転が仮停止しているフリーズ状態において、所定の条件下におけるスタートスイッチ33の操作を契機に、フリーズ状態を終了することがあるように形成されていることを特徴とする。
本発明では、すべての回転リール45の回転が仮停止しているフリーズ状態において、所定の条件下におけるスタートスイッチ33の操作を契機に、フリーズ制御手段140は、フリーズ状態を終了することがある。
【００１４】
（請求項５）
請求項５記載の発明は、周囲に複数の図柄が付されたｎ個（ｎ≧１）の回転リール45と、すべての回転リール45の回転を開始させるためのスタートスイッチ33と、各回転リール45に対応して設けられるとともに、回転リール45の回転を停止させるためのストップスイッチ34と、を備え、遊技媒体のベットにより遊技の開始を可能とし、スタートスイッチ33の操作により回転リール45の回転を開始させるとともに、複数の役のいずれかに当選かまたはハズレかの抽選を行い、該抽選の結果およびストップスイッチ34の操作に基づいて回転リール45の回転を停止させ、当選した役に係る図柄の組み合わせが揃ったか否かの判定を行い、該判定の結果に応じて所定の利益を遊技者に付与する又は付与しないことで１回の遊技が終了する遊技機であって、遊技機は、スタートスイッチ33の操作を契機に、遊技を進行させることができないフリーズ状態を実行するフリーズ制御手段140と、フリーズ状態において、回転リール45を所定の態様で回転又は仮停止させる回転リール演出を実行する回転リール演出制御手段190と、を備え、回転リール演出制御手段190は、回転リール演出を実行中において、所定のスイッチの操作を契機に、回転リール45の態様を、現在行っている態様とは異なる態様に変化させるように形成されていることを特徴とする。
【００１５】
ここで、「回転リール演出」とは、回転リール45を用いた演出をいい、「回転リール演出制御手段」は、回転リール演出を制御するものである。
本発明では、スタートスイッチ33の操作を契機に、フリーズ制御手段140は、フリーズ状態を実行し、フリーズ状態において、回転リール演出制御手段190は、回転リール45を所定の態様で回転又は仮停止させる回転リール演出を実行するとともに、所定のスイッチの操作を契機に、回転リール演出を変化させる。
（請求項６）
請求項６記載の発明は、上記請求項５記載の発明の特徴に加え、回転リール演出制御手段190は、ｍ個（ｎ≧ｍ≧１）の回転リール45が回転している回転リール演出を実行中に、回転中の回転リール45に対応するストップスイッチ34が操作された場合には、該ストップスイッチ34に対応する回転リール45の回転を仮停止させることによって、回転リール45の態様を変化させるように形成されていることを特徴とする。
【発明の効果】
【００１６】
本発明は、以上のように構成されているので、以下に記載されるような効果を奏する。
（請求項１、２、３又は４）
請求項１、２、３又は４記載の発明によれば、スタートスイッチの操作を契機に、フリーズ状態が実行され、所定の契機により、フリーズ状態が切り替わるため、演出の幅を広げることができ、フリーズ状態において遊技者を飽きさせないようにすることができ、遊技の興趣を向上させることができる遊技機を提供することができる。
（請求項５又は６）
請求項５又は６記載の発明によれば、スタートスイッチの操作を契機に、フリーズ状態が実行され、フリーズ状態において、回転リールを所定の態様で回転又は仮停止させる回転リール演出が実行され、所定のスイッチの操作を契機に、回転リール演出が変化するため、回転リール演出の幅を広げることができ、フリーズ状態において遊技者を飽きさせないようにすることができ、遊技の興趣を向上させることができる遊技機を提供することができる。
【図面の簡単な説明】
【００１７】
【図１】本発明の第１の実施の形態であって、遊技機のブロック図である。
【図２】本発明の第１の実施の形態であって、遊技機の正面図である。
【図３】本発明の第１の実施の形態であって、解除抽選を説明するための説明図である。
【図４】本発明の第１の実施の形態であって、遊技機の動作の概略を示すフローチャートである。
【図５】本発明の第２の実施の形態であって、遊技機のブロック図である。
【図６】本発明の第２の実施の形態であって、遊技機の動作の概略を示すフローチャートである。
【発明を実施するための形態】
【００１８】
（第１の実施の形態）
本発明の第１の実施の形態を、図１〜図４に基づいて説明する。
以下、「前面」とは、遊技機において遊技を行う際に遊技者が向き合う面をいい、「右側」とは、遊技機の前面に向き合って遊技を行う遊技者から見て右側をいい、「左側」とは、遊技機の前面に向き合って遊技を行う遊技者から見て左側をいう。
（遊技機）
図２に示すように、遊技機としてのスロットマシン10は、前面に開口部を有する箱型の筐体11を備え、筐体11の前面には、開口部を塞ぐ前扉12を備え、筐体11の内部には、３個の回転リール45を横並びに配置したリールユニット40や、スロットマシン10を制御するための制御装置20や、メダルを払い出すためのホッパーユニットや、スロットマシン10が備える各装置に電力を供給するための電源ユニットなどを備えている。
【００１９】
また、３個の回転リール45のうち、左側に位置するのが左リール46であり、中央に位置するのが中リール47であり、右側に位置するのが右リール48である。
また、前扉12の上部には、上パネル13を備え、前扉12の下部には、下パネル14を備え、前扉12の前面における、上パネル13と下パネル14との間には、前方へ向けて突出する操作部16を備えている。
また、上パネル13のほぼ中央には、各回転リール45の周囲に付されている図柄を遊技者に見せるための図柄表示窓15が設けられている。この図柄表示窓15は、３個すべての回転リール45の回転が停止した際には、縦３列横３行に配置した合計９個の図柄を遊技者に見せるように形成されている。
【００２０】
また、入賞ラインとして、上段の３個の図柄を通る上入賞ラインと、中段の３個の図柄を通る中入賞ラインと、下段の３個の図柄を通る下入賞ラインと、左下・中央・右上の３個の図柄を通る右上り入賞ラインと、左上・中央・右下の３個の図柄を通る右下り入賞ラインとが設けられている。
また、上パネル13における、図柄表示窓15の上方に相当する位置には、表示装置55としての液晶ディスプレイが設けられている。
また、操作部16の上面右側には、メダルを投入するためのメダル投入口36が設けられ、操作部16の上面左側には、クレジットされているメダルをベットするためのベットスイッチ32が設けられ、操作部16の上面左端付近には、クレジットされているメダルを返却するための精算スイッチ35が設けられ、操作部16の前面左側には、各回転リール45の回転を開始させるためのスタートスイッチ33が設けられ、操作部16の前面中央には、各回転リール45の回転を停止させるためのものであって各回転リール45にそれぞれ対応している３個のストップスイッチ34が横並びに設けられている。
【００２１】
また、前扉12の下部中央には、メダルを払い出すためのメダル払出口37が設けられ、メダル払出口37の下方には、メダル払出口37から払い出されたメダルを受け止めて貯留するためのメダル受け皿38が設けられている。
（リールユニット40）
リールユニット40は、横並びに設けた３個の回転リール45と、各回転リール45を回転させるためのものであって各回転リール45にそれぞれ対応しているステッピングモータと、これらを支持するためのフレームとを備えている。
また、各回転リール45の周囲には、複数種類の図柄が所定の配列で合計２１個付されている。
【００２２】
また、各ステッピングモータの出力軸には、対応する回転リール45の回転軸がそれぞれ固定されている。具体的には、左側のステッピングモータの出力軸には、左リール46の回転軸が固定され、中央のステッピングモータの出力軸には、中リール47の回転軸が固定され、右側のステッピングモータの出力軸には、右リール48の回転軸が固定されている。
また、ステッピングモータは、パルス信号によって駆動するものであって、入力されるパルス信号のパターンによって、加速・定速・減速のパターンが決まる。そして、ステッピングモータが駆動すると、対応する回転リール45が回転軸を中心に回転する。
また、各回転リール45には、インデックスセンサにより検知されるインデックスが設けられており、インデックスが検知されてからのステッピングモータのパルス数により回転リール45の回転位置を特定できるようになっている。
【００２３】
（制御装置20）
図１に示すように、制御装置20は、遊技の制御を行う遊技制御装置21と、遊技制御装置21からの信号を受信して演出の制御を行う演出制御装置22とを備えている。
また、遊技制御装置21は、メイン基板などとも呼ばれるものであって、ＣＰＵ、ＲＡＭ、ＲＯＭ、およびＩ／Ｏなどを備えたマイクロコンピュータを用いて構成されている。ＣＰＵがＲＯＭに記憶された所定のプログラムを実行することにより、遊技制御装置21を構成するマイクロコンピュータが、遊技制御手段60、役抽選手段110、入賞判定手段120、停止制御手段130、フリーズ制御手段140、スイッチ有効化手段180、フリーズ状態切替手段150、及び回転制御手段170などとして機能する。遊技制御装置21の入力手段としては、ベットスイッチ32や、スタートスイッチ33や、ストップスイッチ34や、精算スイッチ35や、リールユニット40の各回転リール45のインデックスセンサなどが接続され、遊技制御装置21の出力手段としては、リールユニット40のステッピングモータや、ホッパーユニットなどが接続されている。
【００２４】
また、演出制御装置22は、サブ基板などとも呼ばれるものであって、遊技制御装置21と同様に、ＣＰＵ、ＲＡＭ、ＲＯＭ、およびＩ／Ｏなどを備えたマイクロコンピュータを用いて構成されている。ＣＰＵがＲＯＭに記憶された所定のプログラムを実行することにより、演出制御装置22を構成するマイクロコンピュータが、演出制御手段160などとして機能する。演出制御装置22の入力手段としては、遊技制御装置21が接続され、演出制御装置22の出力手段としては、液晶ディスプレイや、演出用ランプや、スピーカなどが接続されている。
（遊技制御手段60）
遊技制御手段60は、通常遊技制御手段70と、特別遊技制御手段80とを備えている。通常遊技制御手段70は、通常遊技を制御するものであり、特別遊技制御手段80は、特別遊技を制御するものである。
【００２５】
（通常遊技制御手段70）
通常遊技制御手段70は、通常遊技を制御するものである。
以下、スロットマシン10における通常遊技について説明する。
１回の遊技につき、最小で１枚、最大で３枚の遊技媒体としてのメダルのベットが可能である。メダルをベットすると、メダルのベット枚数に応じた本数の入賞ラインが有効になる。また、メダルのベットには、メダル投入口36からメダルを投入することによるベットと、ベットスイッチ32を操作することによるクレジットされているメダルのベットとがある。また、再遊技のときには、前回の遊技でベットした枚数と同数のメダルが自動的にベットされる。また、メダルのベットを条件に、スタートスイッチ33を操作すると、複数の役のいずれかに当選か又はハズレかの抽選（役抽選）が行われるとともに、３個すべての回転リール45の回転が開始する。その後、３個すべての回転リール45の回転が所定の定常速度になって定常回転するようになると、３個すべてのストップスイッチ34が有効になり、ストップスイッチ34の操作が有効になる。そして、３個のストップスイッチ34のうちの１個を操作すると、当該ストップスイッチ34に対応した回転リール45の回転が停止する。そして、３個すべてのストップスイッチ34の操作を終えると、３個すべての回転リール45の回転が停止する。このとき、いずれかの有効な入賞ライン上に、役抽選で当選した役に対応する図柄の組み合わせが揃うと、当該役に入賞となり、入賞した役に応じた枚数のメダルを獲得できる。また、獲得したメダルは、クレジットされ、クレジット数が上限値に達したときには、ホッパーユニットが駆動して、上限値を超えた分がメダル払出口37から払い出される。また、メダルの獲得に代えて、あるいはメダルの獲得とともに、遊技者に対して所定の利益が付与されることもある。
【００２６】
なお、ここで、役には、入賞によりメダルが払い出される小役（チェリー役、ベル役、及びスイカ役）と、入賞によりメダルの払い出しはないが特別遊技へ移行するボーナス役と、入賞によりメダルの払い出しはないがメダルを新たに投入することなく前回の遊技と同じ条件で再度遊技を行うことができる再遊技役とがある。また、ボーナス役には、入賞により後述するビッグボーナスゲームに移行するビッグボーナス役（ＢＢ役）と、入賞により後述するレギュラーボーナスゲームに移行するレギュラーボーナス役（ＲＢ役）とがある。
また、当選とは、役抽選で当たることを意味し、入賞とは、いずれかの有効な入賞ライン上に所定の図柄の組み合わせが揃うことを意味する。
【００２７】
また、役抽選でいずれかの役に当選すると、その役に対応したフラグが成立し、その役に対応した図柄の組み合わせがいずれかの有効な入賞ライン上に揃い得るようになるとともに、その役以外の役に対応した図柄の組み合わせについてはいずれの有効な入賞ライン上にも揃わないようになる。そして、すべての回転リール45の回転が停止したときに、当選した役に対応する図柄の組み合わせがいずれかの有効な入賞ライン上に揃うと、その役に入賞となり、入賞した役に応じた利益が遊技者に付与される。
例えば、役抽選でベル当選となると、ベルフラグが成立して、いずれかの有効な入賞ライン上に「ベル」の図柄の組み合わせが揃い得るようになり、「ベル」の図柄の組み合わせが揃うと、ベル役の入賞となり、所定枚数（例えば１０枚）のメダルが獲得できる。
【００２８】
また、役抽選で再遊技当選となると、再遊技フラグが成立して、いずれかの有効な入賞ライン上に「Ｒｅｐｌａｙ」の図柄の組み合わせが揃い得るようになり、「Ｒｅｐｌａｙ」の図柄の組み合わせが揃うと、再遊技の入賞となり、新たにメダルを投入することなく前回の遊技と同じ条件で再度遊技を行える。
また、役抽選でハズレとなると、いずれの有効な入賞ライン上にも、いずれの役に対応した図柄の組み合わせも揃わなくなる。
また、役抽選の結果の如何にかかわらず、いずれの有効な入賞ライン上にも、いずれの役に対応した図柄の組み合わせも揃わないと、入賞なしとなる。
【００２９】
なお、小役フラグ（チェリーフラグ、ベルフラグ、及びスイカフラグ）ならびに再遊技フラグは、成立した遊技で入賞しないとクリアされ、次回以降の遊技に持ち越されることはない。
（特別遊技制御手段80）
特別遊技とは、遊技者にとって通常遊技よりも有利な遊技をいい、特別遊技制御手段80は、特別遊技を制御するものである。
特別遊技としては、ビッグボーナスゲーム（ＢＢゲーム）と、レギュラーボーナスゲーム（ＲＢゲーム）とがある。ＢＢゲームとは、所定の役の当選確率が通常遊技よりも高い遊技を複数回実行可能な遊技であって、メダルの最大獲得枚数が所定枚数（例えば３００枚）の遊技をいい、ＲＢゲームとは、ＢＢゲームと同じく、所定の役の当選確率が通常遊技よりも高い遊技を複数回実行可能な遊技であるものの、メダルの最大獲得枚数がＢＢゲームよりも少ない所定枚数（例えば１００枚）の遊技をいう。
【００３０】
通常遊技において、役抽選の結果がビッグボーナス当選（ＢＢ当選）となると、ビッグボーナスフラグ（ＢＢフラグ）が成立して、いずれかの有効な入賞ライン上に、ビッグボーナスに対応する「７」の図柄の組み合わせが揃い得るようになり、「７」の図柄の組み合わせが揃うと、ビッグボーナス入賞（ＢＢ入賞）となり、ＢＢゲームへ移行する。
ＢＢゲームへ移行すると、役抽選で所定の役に当選する確率が通常遊技中よりも高くなり、そして、いずれかの有効な入賞ライン上に、当選した役に対応する図柄の組み合わせが揃うと、その役に入賞となり、入賞した役に応じた所定枚数のメダルが払い出される。
そして、ＢＢゲーム中のメダルの獲得枚数が所定枚数（例えば３００枚）に達すると、ＢＢゲームは終了して、通常遊技へ移行する。
【００３１】
また、通常遊技において、役抽選の結果がレギュラーボーナス当選（ＲＢ当選）となると、レギュラーボーナスフラグ（ＲＢフラグ）が成立して、いずれかの有効な入賞ライン上に、レギュラーボーナスに対応する「ＢＡＲ」の図柄の組み合わせが揃い得るようになり、「ＢＡＲ」の図柄の組み合わせが揃うと、レギュラーボーナス入賞（ＲＢ入賞）となり、ＲＢゲームへ移行する。
ＲＢゲームへ移行すると、ＢＢゲームと同様の遊技が行われるが、ＢＢゲームとはメダルの最大獲得枚数が異なり、ＲＢゲーム中のメダルの獲得枚数が所定枚数（例えば１００枚）に達すると、ＲＢゲームは終了して、通常遊技へ移行する。
【００３２】
なお、ＢＢゲームおよびＲＢゲームを総称してボーナスゲームとし、また、ＢＢ入賞およびＲＢ入賞を総称してボーナス入賞とし、また、ＢＢフラグおよびＲＢフラグを総称してボーナスフラグとする。
また、ボーナスフラグは、成立した遊技でボーナス入賞が引き当てられなかったとしても、クリアされることなく次回以降の遊技に持ち越され、この持ち越しは、ボーナス入賞が引き当てられるまで継続する。
（役抽選手段110）
役抽選手段110は、スタートスイッチ33の操作を契機に、複数の役のいずれかに当選か又はハズレかの抽選（役抽選）を行うものである。
【００３３】
役抽選手段110は、乱数発生手段と、乱数抽出手段と、役抽選テーブルと、判定手段とを備えている。
また、乱数発生手段は、役抽選用の乱数を、所定の範囲内（例えば、１０進数で０〜６５５３５）で発生させるものである。
また、乱数抽出手段は、乱数発生手段が発生させた乱数を、所定の契機（例えば、スタートスイッチ33の操作）で抽出するものである。
なお、乱数発生手段は、カウンタ回路などによって構成されるため、乱数発生手段が発生させる数値は、厳密には乱数ではない。ただ、スタートスイッチ33が操作されるタイミングは、ランダムであると考えられるため、乱数抽出手段が抽出する数値は、実質的には乱数として取り扱うことができる。
【００３４】
また、役抽選テーブルは、乱数発生手段が発生させる範囲内の各乱数について、複数の役のいずれかに当選か又はハズレかをあらかじめ定めたものである。
また、判定手段は、乱数抽出手段が抽出した乱数と、役抽選テーブルとを照合して、複数の役のいずれかに当選か又はハズレかの判定を行うものである。
そして、役抽選手段110による役抽選で、いずれかの役に当選すると、当選した役に対応するフラグが成立する。そして、このフラグの成立中に、いずれかの有効な入賞ライン上に、役抽選で当選した役に対応する図柄の組み合わせが揃うと、その役に入賞となり、遊技者に対して、メダルの払い出しや、特別遊技等の利益が付与される。
【００３５】
（入賞判定手段120）
入賞判定手段120は、すべての回転リール45の回転が停止した際における入賞ライン上の図柄の組み合わせに基づいて、複数の役のいずれかに入賞か又は入賞なしかの判定を行うものである。
具体的には、入賞判定手段120は、３個すべての回転リール45の回転が停止した際に、いずれかの有効な入賞ライン上に、役抽選で当選した役に対応する図柄の組み合わせが揃うと、その役に入賞と判定し、一方、いずれの有効な入賞ライン上にも、いずれの役に対応する図柄の組み合わせも揃わないと、入賞なしと判定する。
【００３６】
（停止制御手段130）
停止制御手段130は、役抽選手段110の抽選結果と、各ストップスイッチ34が操作された際における対応する回転リール45の回転位置とに基づいて、各回転リール45の回転を停止させるものである。
具体的には、停止制御手段130は、各ストップスイッチ34が操作された際における対応する回転リール45の回転位置を、対応するインデックスが検知されてから対応するストップスイッチ34が操作されるまでの間における対応するステッピングモータのステップ数で特定しつつ、ストップスイッチ34が操作された時点で、有効な入賞ライン上に直ちに停止できる図柄（すなわち、回転リール45の回転位置）を基準として、この図柄から回転方向に予め定められた個数（最大スベリコマ数、たとえば４コマ）移動した図柄までの範囲内で、対応する回転リール45を停止させるように形成されている。換言すれば、停止制御手段130は、ストップスイッチ34が操作された時点から対応する回転リール45が停止するまでに、この回転リール45が回転する回転量が、予め定められたコマ数（４コマ）の範囲内となるように制御する。
【００３７】
そして、停止制御手段130は、役抽選手段110の抽選結果がいずれかの役に当選の場合には、各回転リール45の回転を停止させるに際し、当選した役に対応する図柄の組み合わせが、いずれかの有効な入賞ライン上に極力揃うように、かつ、当選した役以外の役に対応する図柄の組み合わせについては、いずれの有効な入賞ライン上にも揃わないように、引き込み制御及び蹴飛ばし制御を行い、一方、役抽選手段110の抽選結果がハズレの場合には、各回転リール45の回転を停止させるに際し、いずれの有効な入賞ライン上にも、いずれの役に対応する図柄の組み合わせも揃わないように、蹴飛ばし制御を行う。
（フリーズ制御手段140）
フリーズ制御手段140は、フリーズ状態を制御するものである。本実施の形態では、フリーズ制御手段140は、スタートスイッチ33の操作を契機に、フリーズ状態を実行するように形成されている。
【００３８】
ここで、フリーズ状態とは、遊技を進行させることができない状態である。
具体的には、フリーズ状態においては、ストップスイッチ34が操作された場合に、停止制御手段130に代えて後述するフリーズ状態切替手段150が作動される。すなわち、通常の遊技の進行においては、スタートスイッチ33の操作を契機に３個すべての回転リール45の回転が開始し、３個すべての回転リール45の回転が所定の定常速度に達したことを契機にストップスイッチ34が有効になり、有効になったストップスイッチ34が操作されると、停止制御手段130により対応する回転リール45の回転を停止させる停止制御が行われるが、フリーズ状態においては、後述するストップスイッチ有効化手段によりストップスイッチ34が有効になることがあるが、有効になったストップスイッチ34を操作しても、停止制御手段130による停止制御が行われず、遊技を進行させることができないこととなる。
【００３９】
また、本実施の形態では、フリーズ制御手段140は、回転リール45の態様が異なる複数のフリーズ状態を実行可能に形成されている。
具体的には、フリーズ制御手段140は、３個すべての回転リール45が回転している第１フリーズ状態と、１個の回転リール45が回転を仮停止しているとともに、２個の回転リール45が回転している第２フリーズ状態と、２個の回転リール45が回転を仮停止しているとともに、１個の回転リール45が回転している第３フリーズ状態と、３個すべての回転リール45が回転を仮停止している第４フリーズ状態とを実行可能に形成されている。
より具体的には、フリーズ制御手段140は、第２フリーズ状態として、左リール46が回転を仮停止しているとともに、中リール47及び右リール48が回転している第２フリーズ状態と、中リール47が回転を仮停止しているとともに、左リール46及び右リール48が回転している第２フリーズ状態と、右リール48が回転を仮停止しているとともに、左リール46及び中リール47が回転している第２フリーズ状態とを実行可能に形成されている。
【００４０】
また、フリーズ制御手段140は、第３フリーズ状態として、左リール46及び中リール47が回転を仮停止しているとともに、右リール48が回転している第３フリーズ状態と、左リール46及び右リール48が回転を仮停止しているとともに、中リール47が回転している第３フリーズ状態と、中リール47及び右リール48が回転を仮停止しているとともに、左リール46が回転している第３フリーズ状態とを実行可能に形成されている。
ここで、仮停止とは、フリーズ状態において、回転リール45の回転が仮に停止している状態をいい、フリーズ状態以外の状態において、回転リール45の回転が停止している状態とは異なる状態をいう。すなわち、回転リール45の回転が仮停止した場合には、１回の遊技において、仮停止した回転リール45がその後再び回転可能であるが、回転リール45の回転が停止した場合には、１回の遊技において、停止した回転リール45がその後、再び回転することはない。
【００４１】
また、本実施の形態では、フリーズ制御手段140は、通常遊技において、役抽選手段110の抽選結果がボーナス当選（ＢＢ当選又はＲＢ当選）以外となった場合に、フリーズ状態を実行するか否かを抽選で決定するフリーズ実行抽選を行う。そして、フリーズ制御手段140は、フリーズ実行抽選の結果が当選となった場合、及び役抽選手段110の抽選結果がボーナス当選となった場合に、スタートスイッチ33の操作を契機に、後述する回転制御手段170を作動させ、停止している３個すべての回転リール45の回転を開始させることによって、第１フリーズ状態を実行するとともに、フリーズ状態であることを記憶するフリーズ状態フラグを設定する。
【００４２】
なお、本実施の形態では、フリーズ実行抽選の当選確率は、１／５０に設定されている。
また、上述の如く、ボーナスフラグはボーナス入賞が引き当てられるまで持ち越されるが、本実施の形態では、フリーズ制御手段140は、ボーナスフラグを持ち越している遊技では、フリーズ状態を実行しないように形成されている。
また、本実施の形態では、フリーズ制御手段140は、後述するフリーズ状態切替手段150により第１フリーズ状態から仮停止された回転リール45に応じて対応する第２フリーズ状態に切り替えられたことを契機に、当該第２フリーズ状態を実行し、フリーズ状態切替手段150により第２フリーズ状態から仮停止された回転リール45に応じて対応する第３フリーズ状態に切り替えられたことを契機に、当該第３フリーズ状態を実行し、フリーズ状態切替手段150により第３フリーズ状態から第４フリーズ状態に切り替えられたことを契機に、第４フリーズ状態を実行し、フリーズ状態切替手段150により第４フリーズ状態から第１フリーズ状態に切り替えられたことを契機に、第１フリーズ状態を実行する。
【００４３】
また、本実施の形態では、フリーズ制御手段140は、第４フリーズ状態において、所定の条件下におけるスタートスイッチ33の操作を契機に、フリーズ状態を終了するように形成されている。具体的には、フリーズ制御手段140は、第４フリーズ状態において、後述するベットスイッチ有効化手段によりベットスイッチ32が有効になり、有効になったベットスイッチ32の操作を契機に、後述するスタートスイッチ有効化手段によりスタートスイッチ33が有効になり、有効になったスタートスイッチ33の操作を契機に、フリーズ状態を終了するか否かを抽選で決定する解除抽選を行う。そして、フリーズ制御手段140は、解除抽選でフリーズ状態を終了することが決定された場合に、フリーズ状態を終了するとともに、フリーズ状態フラグをクリアする。
【００４４】
なお、解除抽選の抽選確率は、図３に示すように、ボーナス当選によりフリーズ状態が実行されたときと、フリーズ実行抽選によりフリーズ状態が実行されたときとで、異なるように設定されている。また、解除抽選の抽選確率は、第４フリーズ状態におけるスタートスイッチ33の操作回数によっても、異なるように設定されている。具体的には、フリーズ制御手段140は、第４フリーズ状態におけるスタートスイッチ33の操作回数をカウントするカウント手段を備え、第４フリーズ状態におけるスタートスイッチ33の操作回数が３回の場合には、解除抽選の抽選確率は、フリーズ状態を終了する確率が１００％となるように設定されている。
【００４５】
また、例えば、ボーナス当選によりフリーズ状態が実行された場合であって、第４フリーズ状態におけるスタートスイッチ33の操作回数が１回の場合には、解除抽選の抽選確率は、フリーズ状態を終了しない、すなわちフリーズ状態を継続する確率が１００％となるように設定されている。
また、例えば、フリーズ実行抽選によりフリーズ状態が実行された場合であって、第４フリーズ状態におけるスタートスイッチ33の操作回数が１回の場合には、解除抽選の抽選確率は、フリーズ状態を終了する確率と、フリーズ状態を継続する確率とが、それぞれ５０％ずつとなるように設定されている。
【００４６】
（スイッチ有効化手段180）
スイッチ有効化手段180は、特定の条件下で、ベットスイッチ32、スタートスイッチ33又はストップスイッチ34を有効にするものである。本実施の形態では、スイッチ有効化手段180は、ストップスイッチ有効化手段と、ベットスイッチ有効化手段と、スタートスイッチ有効化手段とを備えている。
具体的には、ストップスイッチ有効化手段は、フリーズ制御手段140により第１フリーズ状態が実行されて、後述する回転制御手段170により各回転リール45の回転が所定の定常速度に達したことを契機に、３個すべてのストップスイッチ34を有効、すなわち操作を受け付ける状態にする。また、ストップスイッチ有効化手段は、フリーズ状態切替手段150により第４フリーズ状態から第１フリーズ状態に切り替えられて、フリーズ制御手段140により第１フリーズ状態が実行された場合にも、後述する回転制御手段170により各回転リール45の回転が所定の定常速度に達したことを契機に、３個すべてのストップスイッチ34を有効、すなわち操作を受け付ける状態にする。また、ストップスイッチ有効化手段は、フリーズ状態において、有効にしたストップスイッチ34が操作された場合には、当該ストップスイッチ34を無効、すなわち操作を受け付けない状態にする。
【００４７】
また、ベットスイッチ有効化手段は、フリーズ制御手段140により第４フリーズ状態が実行されたことを契機に、ベットスイッチ32を有効、すなわち操作を受け付ける状態にする。また、ベットスイッチ有効化手段は、第４フリーズ状態において、有効にしたベットスイッチ32が操作された場合には、当該ベットスイッチ32を無効、すなわち操作を受け付けない状態にする。
また、スタートスイッチ有効化手段は、第４フリーズ状態において、ベットスイッチ32の操作を契機に、スタートスイッチ33を有効、すなわち操作を受け付ける状態にする。また、スタートスイッチ有効化手段は、第４フリーズ状態において、有効にしたスタートスイッチ33が操作された場合には、当該スタートスイッチ33を無効、すなわち操作を受け付けない状態にする。
【００４８】
（フリーズ状態切替手段150）
フリーズ状態切替手段150は、所定の契機により、一のフリーズ状態を他のフリーズ状態に切り替えるものである。本実施の形態では、フリーズ状態切替手段150は、フリーズ状態において、ストップスイッチ34の操作を契機に、対応する回転リール45の回転を仮停止させることによって、一のフリーズ状態を他のフリーズ状態に切り替えるように形成されている。
具体的には、フリーズ状態切替手段150は、第１フリーズ状態において、ストップスイッチ有効化手段により有効にされた、いずれかのストップスイッチ34の操作を契機に、対応する回転リール45の回転を仮停止させることによって、仮停止された回転リール45に応じて対応する第２フリーズ状態を選択して、フリーズ状態を、第１フリーズ状態から選択した第２フリーズ状態に切り替える。例えば、フリーズ状態切替手段150は、左リール46の回転を仮停止させた場合には、左リール46が回転を仮停止しているとともに、中リール47及び右リール48が回転している第２フリーズ状態を選択して、フリーズ状態を、第１フリーズ状態から選択した第２フリーズ状態に切り替える。
【００４９】
また、フリーズ状態切替手段150は、第２フリーズ状態において、仮停止している回転リール45を除く回転中の回転リール45に対応するストップスイッチ34のうちのいずれかのストップスイッチ34であって、ストップスイッチ有効化手段により有効にされたストップスイッチ34の操作を契機に、対応する回転リール45の回転を仮停止させることによって、仮停止された回転リール45に応じて対応する第３フリーズ状態を選択して、フリーズ状態を、第２フリーズ状態から選択した第３フリーズ状態に切り替える。例えば、フリーズ状態切替手段150は、左リール46が回転を仮停止しているとともに、中リール47及び右リール48が回転している第２フリーズ状態において、中リール47の回転を仮停止させた場合には、左リール46及び中リール47が回転を仮停止しているとともに、右リール48が回転している第３フリーズ状態を選択し、フリーズ状態を、第２フリーズ状態から選択した第３フリーズ状態に切り替える。
【００５０】
また、フリーズ状態切替手段150は、第３フリーズ状態において、仮停止している回転リール45を除く回転中の回転リール45に対応するストップスイッチ34であって、ストップスイッチ有効化手段により有効にされたストップスイッチ34の操作を契機に、対応する回転リール45の回転を仮停止させることによって、フリーズ状態を、第３フリーズ状態から第４フリーズ状態に切り替える。
また、本実施の形態では、フリーズ状態切替手段150は、第４フリーズ状態において、フリーズ制御手段140による解除抽選により、フリーズ状態を継続することが決定されたことを契機に、後述する回転制御手段170を作動させ、仮停止している３個すべての回転リール45の回転を開始させることによって、フリーズ状態を、第４フリーズ状態から第１フリーズ状態に切り替える。
【００５１】
また、本実施の形態では、フリーズ状態切替手段150は、各回転リール45の回転を仮停止させる際に、いずれかの入賞ライン上に、所定の図柄の組み合わせが揃うように仮停止させる。具体的には、フリーズ状態切替手段150は、フリーズ制御手段140のカウント手段によりカウントされる第４フリーズ状態におけるスタートスイッチ33の操作回数に応じて、いずれかの入賞ライン上に、所定の図柄の組み合わせが揃うように仮停止させる。
より具体的には、フリーズ状態切替手段150は、フリーズ制御手段140のカウント手段によりカウントされる第４フリーズ状態におけるスタートスイッチ33の操作回数が０回の場合には、ボーナス当選の可能性が高いことを示唆する、いわゆる「チャンス目」と呼ばれる図柄の組み合わせが、いずれかの入賞ライン上に揃うように仮停止させる。
【００５２】
また、フリーズ状態切替手段150は、フリーズ制御手段140のカウント手段によりカウントされる第４フリーズ状態におけるスタートスイッチ33の操作回数が１回の場合には、ボーナス当選となった場合にのみ揃い得る、いわゆる「リーチ目」と呼ばれる図柄の組み合わせが入賞ライン上に揃うように仮停止させる。
また、フリーズ状態切替手段150は、フリーズ制御手段140のカウント手段によりカウントされる第４フリーズ状態におけるスタートスイッチ33の操作回数が２回の場合には、いずれかの入賞ライン上に、「７」の図柄の組み合わせが揃うように仮停止させる。
そして、本実施の形態では、フリーズ状態切替手段150は、各ストップスイッチ34が操作された際における対応する回転リール45の回転位置を、対応するインデックスが検知されてから対応するストップスイッチ34が操作されるまでの間における対応するステッピングモータのステップ数で特定しつつ、「チャンス目」、「リーチ目」又は「７」の図柄の組み合わせがいずれかの入賞ライン上に揃うように仮停止させる。
【００５３】
なお、フリーズ状態切替手段150は、「７」の図柄の組み合わせがいずれかの入賞ライン上に揃うように各回転リール45の回転を仮停止させる際に、最大スベリコマ数（４コマ）の範囲内に所定の「７」がないときには、停止制御手段130による停止制御とは異なり、最大スベリコマ数（４コマ）を超えるコマ数の図柄を移動させて、いずれかの入賞ライン上に「７」の図柄の組み合わせが揃うように仮停止させる。
すなわち、本実施の形態では、フリーズ状態切替手段150は、停止制御手段130による停止制御とは異なり、最大スベリコマ数（４コマ）を超えるコマ数の図柄を移動させて、回転リール45の回転を仮停止させることができる。
【００５４】
また、フリーズ状態において、３個すべての回転リール45の回転が仮停止した場合には、これらの回転リール45は仮に停止ているだけであるので、入賞判定手段120による入賞の判定は行われない。
（回転制御手段170）
回転制御手段170は、スタートスイッチ33の操作を契機に、３個すべての回転リール45の回転を開始させるとともに、３個すべての回転リール45の回転駆動を制御するものである。具体的には、回転制御手段170は、スタートスイッチ33の操作を契機に、３個すべての回転リール45の回転を開始させて、その回転速度が所定の定常速度に達するまで加速処理を行う。そして、回転制御手段170は、回転リール45の回転速度が所定の定常速度に達したときには、回転リール45を所定の定常速度で定速回転させる定速処理を行う。
【００５５】
また、本実施の形態では、回転制御手段170は、フリーズ制御手段140により第１フリーズ状態が開始するときには、停止している３個すべての回転リール45の回転を開始させて、加速処理及び定速処理を行う。
また、本実施の形態では、回転制御手段170は、フリーズ制御手段140による解除抽選により、フリーズ状態を継続することが決定されたときには、フリーズ状態切替手段150からの制御指令に基づき、仮停止している３個すべての回転リール45の回転を開始させて、加速処理及び定速処理を行う。
また、本実施の形態では、回転制御手段170は、フリーズ制御手段140によりフリーズ状態が終了したときには、仮停止している３個すべての回転リール45の回転を開始させて、加速処理及び定速処理を行う。
【００５６】
（演出制御手段160）
演出制御手段160は、演出を制御するものである。本実施の形態では、演出制御手段160は、液晶ディスプレイに表示する画像を制御する画像制御手段と、演出用ランプの点灯・点滅・消灯を制御するランプ制御手段と、スピーカから発する音を制御する音響制御手段とを備えている。
また、本実施の形態では、演出制御手段160は、フリーズ状態において、様々な演出を行う。具体的には、フリーズ状態において、画像制御手段は、液晶ディスプレイに様々な画像を表示し、ランプ制御手段は、演出用ランプを点灯又は点滅させ、音響制御手段は、スピーカから様々な音を発生させる。
【００５７】
また、演出制御手段160は、フリーズ状態において、スイッチ有効化手段180により有効にされた各スイッチ（ベットスイッチ32、スタートスイッチ33、及びストップスイッチ34）の操作を契機に、演出が順次展開してく発展演出を行う。
また、演出制御手段160は、フリーズ制御手段140によりフリーズ状態が開始されたときには、フリーズ状態が開始された旨を遊技者に報知し、フリーズ制御手段140によりフリーズ状態が終了したときには、フリーズ状態が終了した旨を遊技者に報知する。
（スロットマシン10の動作）
以下、図４に示すフローチャートに基づいて、本実施の形態に係るスロットマシン10の動作の概略を説明する。
【００５８】
ステップ１００において、遊技制御手段60により、スタートスイッチ33が操作されたか否かが判断される。ここで、操作されたと判断されると、ステップ１０１に進む。一方、操作されていないと判断されると、再度ステップ１００となる。
ステップ１０１において、役抽選手段110により、役抽選が行われる。そして、次のステップ１０２に進む。
ステップ１０２において、役抽選手段110の抽選結果がボーナス当選（ＢＢ当選又はＲＢ当選）であるか否かが判断される。ここで、ボーナス当選でないと判断されると、ステップ１０３に進む。一方、ボーナス当選であると判断であると、ステップ１０６に進む。
【００５９】
ステップ１０３において、通常遊技であるか否かが判断される。ここで、通常遊技であると判断されると、ステップ１０４に進む。一方、通常遊技でないと判断されると、ステップ１０６に進む。
ステップ１０４において、フリーズ制御手段140により、フリーズ状態を実行するか否かを抽選で決定するフリーズ実行抽選が行われる。そして、次のステップ１０５に進む。
ステップ１０５において、フリーズ制御手段140により、フリーズ状態を実行することが決定されたか否かが判断される。ここで、フリーズ状態を実行することが決定されたと判断されると、ステップ１０６に進む。一方、フリーズ状態を実行しないことが決定されたと判断されると、ステップ１２５に進む。
【００６０】
ステップ１０６において、回転制御手段170により、停止又は仮停止している３個すべての回転リール45の回転が開始される。そして、次のステップ１０７に進む。
ステップ１０７において、フリーズ制御手段140により、第１フリーズ状態が実行される。そして、次のステップ１０８に進む。
ステップ１０８において、ストップスイッチ有効化手段により、３個すべてのストップスイッチ34が有効にされる。そして、次のステップ１０９に進む。
ステップ１０９において、フリーズ状態切替手段150により、いずれかのストップスイッチ34が操作されたか否かが判断される。ここで、操作されたと判断されると、ステップ１１０に進む。一方、操作されていないと判断されると、再度ステップ１０９となる。
【００６１】
ステップ１１０において、フリーズ状態切替手段150により、操作されたストップスイッチ34に対応する回転リール45の回転が仮停止される。これによって、仮停止した回転リール45に応じて対応する第２フリーズ状態が選択され、フリーズ状態が、第１フリーズ状態から選択した第２フリーズ状態に切り替えられる。そして、次のステップ１１１に進む。
ステップ１１１において、フリーズ制御手段140により、第２フリーズ状態が実行される。そして、次のステップ１１２に進む。
ステップ１１２において、フリーズ状態切替手段150により、仮停止している回転リール45を除く回転中の回転リール45に対応するストップスイッチ34のうちのいずれかのストップスイッチ34が操作されたか否かが判断される。ここで、操作されたと判断されると、ステップ１１３に進む。一方、操作されていないと判断されると、再度ステップ１１２となる。
【００６２】
ステップ１１３において、フリーズ状態切替手段150により、操作されたストップスイッチ34に対応する回転リール45の回転が仮停止される。これによって、仮停止した回転リール45に応じて対応する第３フリーズ状態が選択され、フリーズ状態が、第２フリーズ状態から選択した第３フリーズ状態に切り替えられる。そして、次のステップ１１４に進む。
ステップ１１４において、フリーズ制御手段140により、第３フリーズ状態が実行される。そして、次のステップ１１５に進む。
ステップ１１５において、フリーズ状態切替手段150により、仮停止している回転リール45を除く回転中の回転リール45に対応するストップスイッチ34が操作されたか否かが判断される。ここで、操作されたと判断されると、ステップ１１６に進む。一方、操作されていないと判断されると、再度ステップ１１５となる。
【００６３】
ステップ１１６において、フリーズ状態切替手段150により、操作されたストップスイッチ34に対応する回転リール45の回転が仮停止される。これによって、フリーズ状態が、第３フリーズ状態から第４フリーズ状態に切り替えられる。そして、次のステップ１１７に進む。
ステップ１１７において、フリーズ制御手段140により、第４フリーズ状態が実行される。そして、次のステップ１１８に進む。
ステップ１１８において、ベットスイッチ有効化手段により、ベットスイッチ32が有効にされる。そして、次のステップ１１９に進む。
【００６４】
ステップ１１９において、フリーズ制御手段140により、ベットスイッチ32が操作されたか否かが判断される。ここで、操作されたと判断されると、ステップ１２０に進む。一方、操作されていないと判断されると、再度ステップ１１９となる。
ステップ１２０において、スタートスイッチ有効化手段により、スタートスイッチ33が有効にされる。そして、次のステップ１２１に進む。
ステップ１２１において、フリーズ制御手段140により、スタートスイッチ33が操作されたか否かが判断される。ここで、操作されたと判断されると、ステップ１２２に進む。一方、操作されていないと判断されると、再度ステップ１２１となる。
【００６５】
ステップ１２２において、フリーズ制御手段140により、フリーズ状態を終了するか否かを抽選で決定する解除抽選が行われる。そして、次のステップ１２３に進む。
ステップ１２３において、フリーズ制御手段140により、フリーズ状態を終了することが決定されたか否かが判断される。ここで、フリーズ状態を終了することが決定されたと判断されると、ステップ１２４に進む。一方、フリーズ状態を終了しない、すなわちフリーズ状態を継続することが決定されたと判断されると、ステップ１０６に戻る。
ステップ１２４において、フリーズ制御手段140により、フリーズ状態が終了される。そして、次のステップ１２５に進む。
【００６６】
ステップ１２５において、回転制御手段170により、停止又は仮停止している３個すべての回転リール45の回転が開始される。そして、次のステップ１２６に進む。
ステップ１２６において、遊技制御手段60により、ストップスイッチ34が操作されたか否かが判断される。ここで、ストップスイッチ34が操作されたと判断されると、ステップ１２７に進む。一方、ストップスイッチ34が操作されていないと判断されると、再度ステップ１２６となる。
ステップ１２７において、停止制御手段130により、操作されたストップスイッチ34に対応する回転リール45の停止制御が行われる。そして、次のステップ１２８に進む。
【００６７】
ステップ１２８において、遊技制御手段60により、３個すべての回転リール45の回転が停止したか否かが判断される。ここで、３個すべての回転リール45の回転が停止したと判断されると、ステップ１２９に進む。一方、まだ回転中の回転リール45があると判断されると、ステップ１２６に戻る。
ステップ１２９において、入賞判定手段120により、いずれかの役に入賞したか否かが判断される。ここで、いずれかの役に入賞したと判断されると、ステップ１３０に進む。一方、いずれの役にも入賞していないと判断されると、つまり、入賞なしと判断されると、１回の遊技に係る処理が終了する。
【００６８】
ステップ１３０において、遊技制御手段60により、入賞した役に対応する枚数のメダルの払い出しが行われる。そして、１回の遊技に係る処理が終了する。
（作用・効果）
以上説明したように、本実施の形態では、通常遊技において、役抽選手段110によりボーナス当選（ＢＢ当選又はＲＢ当選）になると、スタートスイッチ33の操作を契機に、フリーズ制御手段140により、３個すべての回転リール45が回転している第１フリーズ状態が実行され、第１フリーズ状態が実行されると、ストップスイッチ有効化手段により、３個すべてのストップスイッチ34が有効にされる。そして、有効になったいずれかのストップスイッチ34を操作すると、フリーズ状態切替手段150により、対応する回転リール45の回転が仮停止されることによって、仮停止された回転リール45に応じて対応する１個の回転リール45が回転を仮停止しているとともに、２個の回転リール45が回転している第２フリーズ状態が選択されて、第１フリーズ状態から選択された第２フリーズ状態に切り替えられ、フリーズ制御手段140により、当該第２フリーズ状態が実行される。そして、仮停止している回転リール45を除く回転中の回転リール45に対応するストップスイッチ34のうちのいずれかのストップスイッチ34を操作すると、フリーズ状態切替手段150により、対応する回転リール45の回転が仮停止されることによって、仮停止された回転リール45に応じて対応する２個の回転リール45が回転を仮停止しているとともに、１個の回転リール45が回転している第３フリーズ状態が選択されて、第２フリーズ状態から選択された第３フリーズ状態に切り替えられ、フリーズ制御手段140により、当該第３フリーズ状態が実行される。さらに、仮停止している回転リール45を除く回転中の回転リール45に対応するストップスイッチ34を操作すると、フリーズ状態切替手段150により、対応する回転リール45の回転が仮停止されて、第３フリーズ状態から、３個すべての回転リール45が回転を仮停止している第４フリーズ状態に切り替えられ、フリーズ制御手段140により、第４フリーズ状態が実行される。
【００６９】
また、第４フリーズ状態が実行されると、ベットスイッチ有効化手段により、ベットスイッチ32が有効になり、有効になったベットスイッチ32を操作すると、スタートスイッチ有効化手段により、スタートスイッチ33が有効になり、有効になったスタートスイッチ33を操作すると、フリーズ制御手段140により、フリーズ状態を終了するか否かを抽選で決定する解除抽選が行われる。そして、フリーズ状態を終了することが決定されると、フリーズ状態が終了し、回転制御手段170により、仮停止している３個すべての回転リール45の回転が開始される。一方、フリーズ状態を継続することが決定されると、フリーズ状態切替手段150により、回転制御手段170が作動され、仮停止している３個すべての回転リール45の回転が開始されて、第４フリーズ状態から第１フリーズ状態に切り替えられ、フリーズ制御手段140により、第１フリーズ状態が実行される。そして、ストップスイッチ34の操作を契機に、再び、第２フリーズ状態、第３フリーズ状態、第４フリーズ状態に、順次切り替えられ、第４フリーズ状態におけるスタートスイッチ33の操作を契機に、解除抽選が行われ、フリーズ状態を終了することが決定されると、フリーズ状態が終了し、一方、フリーズ状態を継続することが決定されると、第１フリーズ状態に切り替えられ、再び、同様に、フリーズ状態が切り替えられていく。そして、第４フリーズ状態におけるスタートスイッチ33の操作が最大で３回行われると、フリーズ状態は終了する。
【００７０】
すなわち、本実施の形態では、ボーナス当選になると、スタートスイッチ33の操作を契機に、３個すべての回転リール45が回転している第１フリーズ状態が実行され、回転中の回転リール45に対応するストップスイッチ34を順次操作すると、対応する回転リール45の回転が仮停止しているフリーズ状態に順次切り替えられる。そして、３個すべての回転リール45の回転が仮停止している第４フリーズ状態において、ベットスイッチ32を操作した後に、スタートスイッチ33を操作すると、仮停止している３個すべての回転リール45の回転が開始されて、第１フリーズ状態が実行され、再び、同様に、回転中の回転リール45に対応するストップスイッチ34を順次操作すると、対応する回転リール45の回転が仮停止しているフリーズ状態に順次切り替えられる。このため、遊技者から見ると、フリーズ状態において、あたかも遊技が進行しているかのように見えることとなる。そして、このようなフリーズ状態の切り替えによって進行する擬似的な遊技は、最大で３回行われ、２回又は３回の擬似的な遊技が行われると、フリーズ状態が終了して、遊技を進行させることができるようになる。
【００７１】
以上より、本実施の形態によれば、フリーズ状態において、あたかも遊技が進行しているかのように遊技者に見せることができる。さらに、フリーズ状態において、３個すべての回転リール45の回転が仮停止しても、１回の遊技が終了するわけではないので、遊技者のメダルを減らすことなく効果的な演出や報知を行うことができる。特に、フリーズ状態において、３個すべての回転リール45の回転が仮停止した際における停止した図柄、いわゆる出目によって、効果的な演出や報知を行うことができる。このため、演出の幅を広げることができ、フリーズ状態において遊技者を飽きさせないようにすることができ、遊技の興趣を向上させることができる。
【００７２】
また、本実施の形態では、通常遊技において、役抽選手段110の抽選結果がボーナス当選以外となった場合に、フリーズ状態を実行するか否かを抽選で決定するフリーズ実行抽選が行われ、その結果が当選のときにも、フリーズ制御手段140により、第１フリーズ状態が実行される。この場合も同様に、回転中の回転リール45に対応するストップスイッチ34を順次操作すると、対応する回転リール45の回転が仮停止しているフリーズ状態に順次切り替えられる。そして、このようなフリーズ状態の切り替えによって進行する擬似的な遊技は、最大で３回行われるが、フリーズ実行抽選によりフリーズ状態が実行された場合、すなわちボーナス当選でない場合には、１回又は２回の擬似的な遊技が行われると、フリーズ状態が終了する確率が高くなっており、３回の擬似的な遊技が行われる確率が、ボーナス当選の場合に比べて、低くなっている。このため、擬似的な遊技が継続する程、ボーナス当選の期待感や、高揚感を遊技者に持たせることができる。
【００７３】
また、本実施の形態では、擬似的な遊技の１回目では、いわゆる「チャンス目」と呼ばれる図柄の組み合わせが揃い、擬似的な遊技の２回目では、いわゆる「リーチ目」と呼ばれる図柄の組み合わせが揃い、擬似的な遊技の３回目では、「７」の図柄の組み合わせが揃う。また、擬似的な遊技では、各スイッチ（ベットスイッチ32、スタートスイッチ33及びストップスイッチ34）の操作を契機に、演出が順次展開してく発展演出が行われる。すなわち、擬似的な遊技が継続する程、「チャンス目」から「リーチ目」へ、「リーチ目」から「７」の図柄の組み合わせへと出目がステップアップしていくとともに、擬似的な遊技中の各スイッチ（ベットスイッチ32、スタートスイッチ33及びストップスイッチ34）の操作を契機に、演出が順次展開していくので、擬似的な遊技が継続する程、ボーナス当選の期待感や、高揚感を遊技者に持たせることができる。
【００７４】
（変形例）
上記第１の実施の形態では、フリーズ制御手段140は、解除抽選により、フリーズ状態を終了することが決定された場合に、フリーズ状態を終了するものであったが、これに限定されるものではない。例えば、フリーズ制御手段140は、フリーズ状態を開始する際に、フリーズ状態の切り替えによって進行する擬似的な遊技を行う回数を抽選で決定し、決定された回数の擬似的な遊技を行ったことを条件として、例えばスタートスイッチ33の操作を契機に、フリーズ状態を終了するようにしてもよい。
また、上記第１の実施の形態では、フリーズ制御手段140は、第４フリーズ状態におけるスタートスイッチ33の操作を契機に、解除抽選が行われ、フリーズ状態を終了することが決定された場合に、フリーズ状態を終了するものであったが、これに限定されるものではない。例えば、フリーズ状態において、スイッチ有効化手段180により有効にされたスイッチの操作を契機に、解除抽選を行い、フリーズ状態を終了することが決定された場合に、フリーズ状態を終了するようにしてもよい。
【００７５】
具体的には、フリーズ状態において、ストップスイッチ有効化手段により有効にされたストップスイッチ34が操作された場合に、フリーズ状態切替手段150により、対応する回転リール45の回転が仮停止されたことを契機に、フリーズ制御手段140は、解除抽選を行い、フリーズ状態を終了することが決定された場合には、フリーズ状態を終了するようにし、フリーズ状態を継続することが決定された場合には、フリーズ状態切替手段150により、フリーズ状態が切り替えられ、フリーズ制御手段140は、切り替えられたフリーズ状態を実行するようにしてもよい。
より具体的には、例えば第２フリーズ状態において、仮停止している回転リール45を除く回転中の回転リール45に対応するストップスイッチ34のうちのいずれかのストップスイッチ34であって、ストップスイッチ有効化手段により有効にされたストップスイッチ34が操作されたとする。この場合に、フリーズ状態切替手段150により、対応する回転リール45の回転が仮停止されたことを契機に、フリーズ制御手段140は、解除抽選を行い、フリーズ状態を終了することが決定された場合には、フリーズ状態を終了するようにし、フリーズ状態を継続することが決定された場合には、フリーズ状態切替手段150により、第２フリーズ状態から第３フリーズ状態に切り替えられ、フリーズ制御手段140は、切り替えられた第３フリーズ状態を実行するようにしてもよい。
【００７６】
この場合では、フリーズ状態が終了すると、回転制御手段170により、仮停止している２個の回転リール45の回転が開始され、加速処理及び定速処理が行われて、遊技が進行できるようになる。
また、例えば第３フリーズ状態において、仮停止している回転リール45を除く回転中の回転リール45に対応するストップスイッチ34であって、ストップスイッチ有効化手段により有効にされたストップスイッチ34が操作されたとする。この場合に、フリーズ状態切替手段150により、対応する回転リール45の回転が仮停止されたことを契機に、フリーズ制御手段140は、解除抽選を行い、フリーズ状態を終了することが決定された場合には、フリーズ状態を終了するようにし、フリーズ状態を継続することが決定された場合には、フリーズ状態切替手段150により、第３フリーズ状態から第４フリーズ状態に切り替えられ、フリーズ制御手段140は、切り替えられた第４フリーズ状態を実行するようにしてもよい。
【００７７】
この場合では、フリーズ状態が終了するときには、フリーズ状態切替手段150により、回転リール45の回転が仮停止されて、第４フリーズ状態に切り替えられずにフリーズ状態が終了する。すなわち、フリーズ状態切替手段150は、フリーズ状態を終了するときには、フリーズ状態を切り替えないようにしてもよい。
また、例えば第４フリーズ状態において、ベットスイッチ有効化手段により有効にされたベットスイッチ32が操作されたとする。この場合に、フリーズ制御手段140は、ベットスイッチ32の操作を契機に、解除抽選を行い、フリーズ状態を終了することが決定された場合には、フリーズ状態を終了するようにし、フリーズ状態を継続することが決定された場合には、スタートスイッチ有効化手段により有効にされたスタートスイッチ33の操作を契機に、フリーズ状態切替手段150により、回転制御手段170が作動され、仮停止している３個すべての回転リール45の回転が開始されて、第４フリーズ状態から第１フリーズ状態に切り替えられ、フリーズ制御手段140は、切り替えられた第４フリーズ状態を実行するようにしてもよい。
【００７８】
この場合では、ベットスイッチ32の操作を契機にフリーズ状態が終了すると、回転制御手段170により、仮停止している３個の回転リール45の回転が開始され、加速処理及び定速処理が行われて、遊技が進行できるようになる。
このような構成としても、上記第１の実施の形態と同様の作用・効果を奏する。
（第２の実施の形態）
本発明の第２の実施の形態を、図５及び図６に基づいて説明する。
図５は、本発明の第２の実施の形態であって、遊技機のブロック図である。また、図６は、本発明の第２の実施の形態であって、遊技機の動作の概略を示すフローチャートである。
【００７９】
第２の実施の形態では、図５に示すように、遊技制御装置21を構成するマイクロコンピュータは、「フリーズ状態切替手段150」に代えて、「回転リール演出制御手段190」として機能する。以下、相違点を中心に、本発明の第２の実施の形態を説明する。
（フリーズ制御手段140）
本実施の形態では、フリーズ制御手段140は、上記第１の実施の形態と異なり、一のフリーズ状態のみを実行可能に形成されている。
具体的には、フリーズ状態においては、ストップスイッチ34が操作された場合に、停止制御手段130に代えて回転リール演出制御手段190が作動される。すなわち、通常の遊技の進行においては、スタートスイッチ33の操作を契機に３個すべての回転リール45の回転が開始し、３個すべての回転リール45の回転が所定の定常速度に達したことを契機にストップスイッチ34が有効になり、有効になったストップスイッチ34が操作されると、停止制御手段130により対応する回転リール45の回転を停止させる停止制御が行われるが、フリーズ状態においては、ストップスイッチ有効化手段によりストップスイッチ34が有効になることがあるが、有効になったストップスイッチ34を操作しても、停止制御手段130による停止制御が行われず、遊技を進行させることができないこととなる。
【００８０】
また、本実施の形態では、フリーズ制御手段140は、上記第１の実施の形態と同様に、フリーズ実行抽選の結果が当選となった場合、及び役抽選手段110の抽選結果がボーナス当選となった場合に、スタートスイッチ33の操作を契機に、フリーズ状態を実行するとともに、フリーズ状態であることを記憶するフリーズ状態フラグを設定する。
また、本実施の形態では、フリーズ制御手段140は、フリーズ状態において、所定の条件下におけるスタートスイッチ33の操作を契機に、フリーズ状態を終了する。具体的には、フリーズ制御手段140は、フリーズ状態において、ベットスイッチ有効化手段によりベットスイッチ32が有効になり、有効になったベットスイッチ32の操作を契機に、スタートスイッチ有効化手段によりスタートスイッチ33が有効になり、有効になったスタートスイッチ33の操作を契機に、フリーズ状態を終了するか否かを抽選で決定する解除抽選を行う。そして、フリーズ制御手段140は、解除抽選でフリーズ状態を終了することが決定された場合に、フリーズ状態を終了するとともに、フリーズ状態フラグをクリアする。なお、解除抽選の抽選確率については、上記第１の実施の形態と同様に設定されている。
【００８１】
具体的には、図３に示すように、フリーズ制御手段140は、フリーズ状態におけるスタートスイッチ33の操作回数をカウントするカウント手段を備え、フリーズ状態におけるスタートスイッチ33の操作回数が３回の場合には、解除抽選の抽選確率は、フリーズ状態を終了する確率が１００％となるように設定されている。
また、例えば、ボーナス当選によりフリーズ状態が実行された場合であって、フリーズ状態におけるスタートスイッチ33の操作回数が１回の場合には、解除抽選の抽選確率は、フリーズ状態を継続する確率が１００％となるように設定されている。
また、例えば、フリーズ実行抽選によりフリーズ状態が実行された場合であって、フリーズ状態におけるスタートスイッチ33の操作回数が１回の場合には、解除抽選の抽選確率は、フリーズ状態を終了する確率と、フリーズ状態を継続する確率とが、それぞれ５０％ずつとなるように設定されている。
【００８２】
（スイッチ有効化手段180）
本実施の形態では、ストップスイッチ有効化手段は、フリーズ制御手段140によりフリーズ状態が実行されて、回転制御手段170により各回転リール45の回転が所定の定常速度に達したことを契機に、３個すべてのストップスイッチ34を有効、すなわち操作を受け付ける状態にする。また、ストップスイッチ有効化手段は、フリーズ状態において、スタートスイッチ有効化手段により有効にされたスタートスイッチ33が操作された場合にも、回転制御手段170により各回転リール45の回転が所定の定常速度に達したことを契機に、３個すべてのストップスイッチ34を有効、すなわち操作を受け付ける状態にする。また、ストップスイッチ有効化手段は、フリーズ状態において、有効にしたストップスイッチ34が操作された場合には、当該ストップスイッチ34を無効、すなわち操作を受け付けない状態にする。
【００８３】
また、本実施の形態では、ベットスイッチ有効化手段は、フリーズ状態において、回転リール演出制御手段190により３個すべての回転リール45の回転が仮停止されたことを契機に、ベットスイッチ32を有効、すなわち操作を受け付ける状態にする。また、ベットスイッチ有効化手段は、フリーズ状態において、有効にしたベットスイッチ32が操作された場合には、当該ベットスイッチ32を無効、すなわち操作を受け付けない状態にする。
また、本実施の形態では、スタートスイッチ有効化手段は、フリーズ状態において、ベットスイッチ32の操作を契機に、スタートスイッチ33を有効、すなわち操作を受け付ける状態にする。また、スタートスイッチ有効化手段は、フリーズ状態において、有効にしたスタートスイッチ33が操作された場合には、当該スタートスイッチ33を無効、すなわち操作を受け付けない状態にする。
【００８４】
（回転リール演出制御手段190）
回転リール演出制御手段190は、フリーズ状態において、回転リール45を所定の態様で回転又は仮停止させる回転リール演出を実行するものである。本実施の形態では、回転リール演出制御手段190は、回転リール演出を実行中において、所定のスイッチの操作を契機に、回転リール45の態様を、現在行っている態様とは異なる態様に変化させるように形成されている。
具体的には、回転リール演出制御手段190は、フリーズ制御手段140によりフリーズ状態が実行されたことを契機に、回転制御手段170を作動させ、停止している３個すべての回転リール45の回転を開始させることによって、回転リール演出を実行する。
【００８５】
また、回転リール演出制御手段190は、回転リール演出を実行中において、ストップスイッチ有効化手段により有効にされたストップスイッチ34の操作を契機に、対応する回転リール45の回転を仮停止させることによって、回転リール45の態様を変化させる。
また、回転リール演出制御手段190は、回転リール演出を実行中において、フリーズ制御手段140による解除抽選により、フリーズ状態を継続することが決定されたことを契機に、回転制御手段170を作動させて、仮停止している３個すべての回転リール45の回転を開始させることによって、回転リール45の態様を変化させる。
また、本実施の形態では、回転リール演出制御手段190は、上記第１の実施の形態と同様に、各回転リール45の回転を仮停止させる際に、いずれかの入賞ライン上に、所定の図柄の組み合わせが揃うように仮停止させる。
【００８６】
具体的には、回転リール演出制御手段190は、フリーズ制御手段140のカウント手段によりカウントされるフリーズ状態におけるスタートスイッチ33の操作回数が０回の場合には、ボーナス当選の可能性が高いことを示唆する、いわゆる「チャンス目」と呼ばれる図柄の組み合わせが、いずれかの入賞ライン上に揃うように仮停止させる。
また、回転リール演出制御手段190は、フリーズ制御手段140のカウント手段によりカウントされるフリーズ状態におけるスタートスイッチ33の操作回数が１回の場合には、ボーナス当選となった場合にのみ揃い得る、いわゆる「リーチ目」と呼ばれる図柄の組み合わせが入賞ライン上に揃うように仮停止させる。
【００８７】
また、回転リール演出制御手段190は、フリーズ制御手段140のカウント手段によりカウントされるフリーズ状態におけるスタートスイッチ33の操作回数が２回の場合には、いずれかの入賞ライン上に、「７」の図柄の組み合わせが揃うように仮停止させる。
そして、本実施の形態では、回転リール演出制御手段190は、各ストップスイッチ34が操作された際における対応する回転リール45の回転位置を、対応するインデックスが検知されてから対応するストップスイッチ34が操作されるまでの間における対応するステッピングモータのステップ数で特定しつつ、「チャンス目」、「リーチ目」又は「７」の図柄の組み合わせがいずれかの入賞ライン上に揃うように仮停止させる。
【００８８】
なお、回転リール演出制御手段190は、「７」の図柄の組み合わせがいずれかの入賞ライン上に揃うように各回転リール45の回転を仮停止させる際に、最大スベリコマ数（４コマ）の範囲内に所定の「７」がないときには、停止制御手段130による停止制御とは異なり、最大スベリコマ数（４コマ）を超えるコマ数の図柄を移動させて、いずれかの入賞ライン上に「７」の図柄の組み合わせが揃うように仮停止させる。
すなわち、本実施の形態では、回転リール演出制御手段190は、停止制御手段130による停止制御とは異なり、最大スベリコマ数（４コマ）を超えるコマ数の図柄を移動させて、回転リール45の回転を仮停止させることができる。
【００８９】
また、回転リール演出を実行中において、３個すべての回転リール45の回転が仮停止した場合には、これらの回転リール45は仮に停止ているだけであるので、入賞判定手段120による入賞の判定は行われない。
（回転制御手段170）
本実施の形態では、回転制御手段170は、フリーズ制御手段140によりフリーズ状態が実行されたときに、回転リール演出制御手段190からの制御指令に基づき、停止している３個すべての回転リール45の回転を開始させて、加速処理及び定速処理を行う。
また、本実施の形態では、回転制御手段170は、フリーズ制御手段140による解除抽選により、フリーズ状態を継続することが決定されたときには、回転リール演出制御手段190からの制御指令に基づき、仮停止している３個すべての回転リール45の回転を開始させて、加速処理及び定速処理を行う。
【００９０】
また、本実施の形態では、回転制御手段170は、フリーズ制御手段140によりフリーズ状態が終了したときには、仮停止している３個すべての回転リール45の回転を開始させて、加速処理及び定速処理を行う。
（スロットマシン10の動作）
以下、図６に示すフローチャートに基づいて、本実施の形態に係るスロットマシン10の動作の概略を説明する。なお、本実施の形態に係るスロットマシン10の動作は、上記第１の実施の形態に係るスロットマシン10の動作と、ステップ２０６〜ステップ２２１の処理が相違するため、相違点を中心に説明する。
【００９１】
ステップ２００〜ステップ２０５において、上記第１の実施の形態におけるステップ１００〜ステップ１０５と同様の処理が行われ、ステップ２０６に進む。
ステップ２０６において、フリーズ制御手段140により、フリーズ状態が実行されるとともに、フリーズ状態フラグが設定される。そして、次のステップ２０７に進む。
ステップ２０７において、回転制御手段170により、停止又は仮停止している３個すべての回転リール45の回転が開始される。そして、次のステップ２０８に進む。
ステップ２０８において、ストップスイッチ有効化手段により、３個すべてのストップスイッチ34が有効にされる。そして、次のステップ２０９に進む。
【００９２】
ステップ２０９において、回転リール演出制御手段190により、いずれかのストップスイッチ34が操作されたか否かが判断される。ここで、操作されたと判断されると、ステップ２１０に進む。一方、操作されていないと判断されると、再度ステップ２０９となる。
ステップ２１０において、回転リール演出制御手段190により、操作されたストップスイッチ34に対応する回転リール45の回転が仮停止される。そして、次のステップ２１１に進む。
ステップ２１１において、回転リール演出制御手段190により、仮停止している回転リール45を除く回転中の回転リール45に対応するストップスイッチ34のうちのいずれかのストップスイッチ34が操作されたか否かが判断される。ここで、操作されたと判断されると、ステップ２１２に進む。一方、操作されていないと判断されると、再度ステップ２１１となる。
【００９３】
ステップ２１２において、回転リール演出制御手段190により、操作されたストップスイッチ34に対応する回転リール45の回転が仮停止される。そして、次のステップ２１３に進む。
ステップ２１３において、回転リール演出制御手段190により、仮停止している回転リール45を除く回転中の回転リール45に対応するストップスイッチ34が操作されたか否かが判断される。ここで、操作されたと判断されると、ステップ２１４に進む。一方、操作されていないと判断されると、再度ステップ２１３となる。
ステップ２１４において、回転リール演出制御手段190により、操作されたストップスイッチ34に対応する回転リール45の回転が仮停止される。そして、次のステップ２１５に進む。
【００９４】
ステップ２１５において、ベットスイッチ有効化手段により、ベットスイッチ32が有効にされる。そして、次のステップ２１６に進む。
ステップ２１６において、フリーズ制御手段140により、ベットスイッチ32が操作されたか否かが判断される。ここで、操作されたと判断されると、ステップ２１７に進む。一方、操作されていないと判断されると、再度ステップ２１６となる。
ステップ２１７において、スタートスイッチ有効化手段により、スタートスイッチ33が有効にされる。そして、次のステップ２１８に進む。
ステップ２１８において、フリーズ制御手段140により、スタートスイッチ33が操作されたか否かが判断される。ここで、操作されたと判断されると、ステップ２１９に進む。一方、操作されていないと判断されると、再度ステップ２１８となる。
【００９５】
ステップ２１９において、フリーズ制御手段140により、フリーズ状態を終了するか否かを抽選で決定する解除抽選が行われる。そして、次のステップ２２０に進む。
ステップ２２０において、フリーズ制御手段140により、フリーズ状態を終了することが決定されたか否かが判断される。ここで、フリーズ状態を終了することが決定されたと判断されると、ステップ２２１に進む。一方、フリーズ状態を継続することが決定されたと判断されると、ステップ２０７に戻る。
ステップ２２１において、フリーズ制御手段140により、フリーズ状態が終了されるとともに、フリーズ状態フラグがクリアされる。そして、次のステップ２２２に進む。
【００９６】
ステップ２２２〜ステップ２２７において、上記第１の実施の形態におけるステップ１２５〜ステップ１３０と同様の処理が行われ、１回の遊技に係る処理が終了する。
（作用・効果）
以上説明したように、本実施の形態では、通常遊技において、役抽選手段110によりボーナス当選（ＢＢ当選又はＲＢ当選）になると、スタートスイッチ33の操作を契機に、フリーズ制御手段140により、フリーズ状態が実行されるとともに、回転リール演出制御手段190により、回転制御手段170が作動され、停止している３個すべての回転リール45の回転が開始されて、回転リール演出が実行される。また、フリーズ状態が実行されると、ストップスイッチ有効化手段により、３個すべてのストップスイッチ34が有効にされる。そして、有効になったいずれかのストップスイッチ34を操作すると、回転リール演出制御手段190により、対応する回転リール45の回転が仮停止されて、回転リール45の態様が変化する。そして、仮停止している回転リール45を除く回転中の回転リール45に対応するストップスイッチ34のうちのいずれかのストップスイッチ34を操作すると、回転リール演出制御手段190により、対応する回転リール45の回転が仮停止されて、回転リール45の態様が変化する。さらに、仮停止している回転リール45を除く回転中の回転リール45に対応するストップスイッチ34を操作すると、回転リール演出制御手段190により、対応する回転リール45の回転が仮停止されて、回転リール45の態様が変化する。
【００９７】
また、３個すべての回転リール45の回転が仮停止されると、ベットスイッチ有効化手段により、ベットスイッチ32が有効になり、有効になったベットスイッチ32を操作すると、スタートスイッチ有効化手段により、スタートスイッチ33が有効になり、有効になったスタートスイッチ33を操作すると、フリーズ制御手段140により、フリーズ状態を終了するか否かを抽選で決定する解除抽選が行われる。そして、フリーズ状態を終了することが決定されると、フリーズ状態が終了し、回転制御手段170により、仮停止している３個すべての回転リール45の回転が開始される。一方、フリーズ状態を継続することが決定されると、回転リール演出制御手段190により、回転制御手段170が作動され、仮停止している３個すべての回転リール45の回転が開始されて、回転リール45の態様が変化する。そして、ストップスイッチ34の操作を契機に、再び、対応する回転リール45の回転が仮停止して、回転リール45の態様が順次変化していき、３個すべての回転リール45の回転が仮停止している状態におけるスタートスイッチ33の操作を契機に、解除抽選が行われ、フリーズ状態を終了することが決定されると、フリーズ状態が終了し、一方、フリーズ状態を継続することが決定されると、仮停止している３個すべての回転リール45の回転が開始され、再び、同様に、回転リール45の態様が変化していく。そして、フリーズ状態におけるスタートスイッチ33の操作が最大で３回行われると、フリーズ状態は終了する。
【００９８】
すなわち、本実施の形態では、ボーナス当選になると、スタートスイッチ33の操作を契機に、フリーズ状態が実行されるとともに、停止している３個すべての回転リール45の回転が開始されて、回転リール演出が実行され、回転中の回転リール45に対応するストップスイッチ34を順次操作すると、対応する回転リール45の回転が仮停止して、回転リール45の態様が変化する。そして、３個すべての回転リール45の回転が仮停止している状態において、ベットスイッチ32を操作した後に、スタートスイッチ33を操作すると、仮停止している３個すべての回転リール45の回転が開始されて、再び、同様に、回転中の回転リール45に対応するストップスイッチ34を順次操作すると、対応する回転リール45の回転が仮停止して、回転リール45の態様が変化する。このため、遊技者から見ると、フリーズ状態において、あたかも遊技が進行しているかのように見えることとなる。そして、このような回転リール演出における回転リール45の態様を変化させることによって進行する擬似的な遊技は、最大で３回行われ、２回又は３回の擬似的な遊技が行われると、フリーズ状態が終了して、遊技を進行させることができるようになる。
【００９９】
以上より、本実施の形態によれば、フリーズ状態において、あたかも遊技が進行しているかのように遊技者に見せることができる。さらに、フリーズ状態において、３個すべての回転リール45の回転が仮停止しても、１回の遊技が終了するわけではないので、遊技者のメダルを減らすことなく効果的な演出や報知を行うことができる。特に、フリーズ状態において、３個すべての回転リール45の回転が仮停止した際における停止した図柄、いわゆる出目によって、効果的な演出や報知を行うことができる。このため、演出の幅を広げることができ、フリーズ状態において遊技者を飽きさせないようにすることができ、遊技の興趣を向上させることができる。
【０１００】
また、本実施の形態では、通常遊技において、役抽選手段110の抽選結果がボーナス当選以外となった場合に、フリーズ状態を実行するか否かを抽選で決定するフリーズ実行抽選が行われ、その結果が当選のときにも、フリーズ制御手段140により、フリーズ状態が実行される。この場合も同様に、回転中の回転リール45に対応するストップスイッチ34を順次操作すると、対応する回転リール45の回転が仮停止して、回転リール45の態様が変化する。そして、このような回転リール演出における回転リール45の態様を変化させることによって進行する擬似的な遊技は、最大で３回行われるが、フリーズ実行抽選によりフリーズ状態が実行された場合、すなわちボーナス当選でない場合には、１回又は２回の擬似的な遊技が行われると、フリーズ状態が終了する確率が高くなっており、３回の擬似的な遊技が行われる確率が、ボーナス当選の場合に比べて、低くなっている。このため、擬似的な遊技が継続する程、ボーナス当選の期待感や、高揚感を遊技者に持たせることができる。
【０１０１】
また、本実施の形態では、擬似的な遊技の１回目では、いわゆる「チャンス目」と呼ばれる図柄の組み合わせが揃い、擬似的な遊技の２回目では、いわゆる「リーチ目」と呼ばれる図柄の組み合わせが揃い、擬似的な遊技の３回目では、「７」の図柄の組み合わせが揃う。また、擬似的な遊技では、各スイッチ（ベットスイッチ32、スタートスイッチ33及びストップスイッチ34）の操作を契機に、演出が順次展開してく発展演出が行われる。すなわち、擬似的な遊技が継続する程、「チャンス目」から「リーチ目」へ、「リーチ目」から「７」の図柄の組み合わせへと出目がステップアップしていくとともに、擬似的な遊技中の各スイッチ（ベットスイッチ32、スタートスイッチ33及びストップスイッチ34）の操作を契機に、演出が順次展開してくので、擬似的な遊技が継続する程、ボーナス当選の期待感や、高揚感を遊技者に持たせることができる。
【０１０２】
（変形例）
上記第２の実施の形態では、フリーズ制御手段140は、解除抽選により、フリーズ状態を終了することが決定された場合に、フリーズ状態を終了するものであったが、これに限定されるものではない。例えば、フリーズ制御手段140は、フリーズ状態を実行する際に、回転リール演出における回転リール45の態様を変化させることによって進行する擬似的な遊技を行う回数を抽選で決定し、決定された回数の擬似的な遊技を行ったことを条件として、例えばスタートスイッチ33の操作を契機に、フリーズ状態を終了するようにしてもよい。
【０１０３】
また、上記第２の実施の形態では、フリーズ制御手段140は、３個すべての回転リール45が仮停止している状態におけるスタートスイッチ33の操作を契機に、解除抽選を行い、フリーズ状態を終了することが決定された場合に、フリーズ状態を終了するものであったが、これに限定されるものではない。例えば、フリーズ状態において、スイッチ有効化手段180により有効にされたスイッチの操作を契機に、解除抽選を行い、フリーズ状態を終了することが決定された場合に、フリーズ状態を終了するようにしてもよい。
具体的には、フリーズ状態において、ストップスイッチ有効化手段により有効にされたストップスイッチ34が操作された場合に、回転リール演出制御手段190により、対応する回転リール45の回転が仮停止されたことを契機に、フリーズ制御手段140は、解除抽選を行い、フリーズ状態を終了することが決定された場合に、フリーズ状態を終了するようにしてもよい。
【０１０４】
より具体的には、フリーズ状態において、例えば、１個の回転リール45の回転が仮停止しているととともに、２個の回転リール45が回転している回転リール演出を実行中に、仮停止している回転リール45を除く回転中の回転リール45に対応するストップスイッチ34のうちのいずれかのストップスイッチ34であって、ストップスイッチ有効化手段により有効にされたストップスイッチ34が操作されたとする。この場合に、回転リール演出制御手段190により、対応する回転リール45の回転が仮停止されたことを契機に、フリーズ制御手段140は、解除抽選を行い、フリーズ状態を終了することが決定された場合には、フリーズ状態を終了するようにしてもよい。
【０１０５】
この場合では、フリーズ状態が終了すると、回転制御手段170により、仮停止している２個の回転リール45の回転が開始され、加速処理及び定速処理が行われて、遊技が進行できるようになる。
また、フリーズ状態において、例えば、ベットスイッチ有効化手段により有効にされたベットスイッチ32が操作されたとする。この場合に、フリーズ制御手段140は、解除抽選を行い、フリーズ状態を終了することが決定された場合には、フリーズ状態を終了するようにしてもよい。
この場合では、ベットスイッチ32の操作を契機にフリーズ状態が終了すると、回転制御手段170により、仮停止している３個の回転リール45の回転が開始され、加速処理及び定速処理が行われて、遊技が進行できるようになる。
【０１０６】
このような構成としても、上記第２の実施の形態と同様の作用・効果を奏する。
（他の実施の形態）
上述した実施の形態では、ボーナスフラグを持ち越している遊技では、フリーズ制御手段140は、フリーズ状態を実行しないものであったが、ボーナスフラグを持ち越している遊技でも、所定の確率（例えば１／３）でフリーズ状態を実行するようにしてもよい。
また、上述した実施の形態では、フリーズ制御手段140は、フリーズ実行抽選の結果が当選となった場合、及び役抽選手段110の抽選結果がボーナス当選となった場合に、フリーズ状態を実行するものであったが、これに限定されるものではない。例えば、フリーズ制御手段140は、ボーナス当選となった場合に、所定の確率（例えば１／２）でフリーズ状態を実行するようにしてもよい。
【０１０７】
また、例えば、上述した実施の形態において、役抽選手段110による抽選の結果に、チェリー役の単独当選と、スイカ役の単独当選と、チェリー役及びボーナス役（ＢＢ役又はＲＢ役）の重複当選と、スイカ役及びボーナス役の重複当選とを含むように形成する。そして、フリーズ制御手段140は、役抽選手段110による抽選の結果が、チェリー役の単独当選、スイカ役の単独当選、チェリー役及びボーナス役の重複当選、又はスイカ役及びボーナス役の重複当選のいずれかとなった場合に、所定の確率で、フリーズ状態を実行するようにしてもよい。
また、上述した実施の形態において、３個すべての回転リール45の回転が仮停止された場合に、ベットしたメダルが一旦消化されたかのような表示、すなわち１回の遊技が終了したかのような表示を行ってもよい。この場合には、ベットスイッチ有効化手段により有効にされたベットスイッチ32の操作により、新たにメダルがベットされたかのような表示を行ってもよい。なお、この場合には、実際には、クレジットされたメダルが減ることはなく、また、クレジットされたメダルのクレジット数が「０」であっても、ベットスイッチ有効化手段によりベットスイッチ32が有効になるものである。このようにすると、フリーズ状態において、より遊技が進行しているかのように遊技者に見せることができる。
【０１０８】
また、上述した実施の形態において、フリーズ状態における擬似的な遊技中は、ベットスイッチ32の操作をしないようにしてもよい。すなわち、ベットスイッチ有効化手段を備えないようにしてもよい。この場合では、例えば、上記第１の実施の形態では、スタートスイッチ有効化手段を、フリーズ制御手段140により第４フリーズ状態が実行されたことを契機に、スタートスイッチ33を有効するようにすることができる。また、図４のステップ１１８及びステップ１１９の処理を行わないようにして、ステップ１１７からステップ１２０に進むようにすることができる。
また、例えば、上記第２の実施の形態では、スタートスイッチ有効化手段を、フリーズ状態において、回転リール演出制御手段190により３個すべての回転リール45の回転が仮停止されたことを契機に、スタートスイッチ33を有効するようにすることができる。また、図６のステップ２１５及びステップ２１６の処理を行わないようにして、ステップ２１４からステップ２１７に進むようにすることができる。
【０１０９】
また、このようにした場合にあっては、３個すべての回転リール45の回転が仮停止されたときに、ベットしたメダルが一旦消化されたかのような表示を行い、その後メダルが自動投入されたかのような表示を行ってもよい。もちろん、このような場合においても、実際には、クレジットされたメダルが減ることはない。
また、上述した実施の形態において、擬似的な遊技は、最大で３回行われるものであったが、これに限定されるものではなく、３回以外の回数を行うようにしてもよい。
また、上述した実施の形態において、フリーズ状態では、スイッチ有効化手段180により有効にされた各スイッチ（ベットスイッチ32、スタートスイッチ33、及びストップスイッチ34）の操作を契機に、演出が順次展開してく発展演出を行うものであったが、これに限定されるものではない。例えば、演出制御手段160は、１回目から３回目の擬似的な遊技に亘って、ステップアップ演出等の関連性のある演出が各回の擬似的な遊技ごとに順次展開していくような演出を行うようにしてもよい。
【０１１０】
また、例えば、演出制御手段160は、スイッチ有効化手段180により有効にされた各スイッチ（ベットスイッチ32、スタートスイッチ33、及びストップスイッチ34）の操作を契機に、または各回の擬似的な遊技ごとに、通常遊技よりも演出が頻発するようにしてもよい。
また、例えば、演出制御手段160は、フリーズ状態では、演出を行わないようにしてもよい。すなわち、擬似的な遊技における出目のみによって、演出を行うようにしてもよい。
また、上述した実施の形態では、回転リール45の回転を仮停止させる際には、いずれかの入賞ライン上に、所定の図柄の組み合わせが揃うように仮停止させるものであったが、これに限定されるものではない。例えば、停止制御手段130による停止制御と同様に、最大スベリコマ数（４コマ）の範囲内で図柄を移動させて、仮停止させるようにしてもよいし、また、例えば、ストップスイッチ34が操作されたタイミングで、仮停止させるようにしてもよいし、また、例えば、入賞ライン上からずれた位置（例えば入賞ライン上から半コマずれた位置）に仮停止させるようにしてもよい。
【０１１１】
また、上述した実施の形態において、擬似的な遊技における出目によって、ボーナス当選を遊技者に報知するようにしてもよい。例えば、フリーズ制御手段140によりボーナス当選になって実行されるフリーズ状態においてのみ、擬似的な遊技において、「７」の図柄の組み合わせが揃うように形成する。このようにすると、複数回の擬似的な遊技におけるいずれかで、「７」の図柄の組み合わせが揃うことで、ボーナス当選を遊技者に報知することができる。このため、演出の幅を広げることができ、遊技の興趣を向上させることができる。
また、例えば、フリーズ制御手段140によりボーナス当選になって実行されるフリーズ状態の方が、フリーズ制御手段140によるフリーズ実行抽選により実行されるフリーズ状態、すなわちボーナス当選以外で実行されるフリーズ状態よりも、擬似的な遊技において、「チャンス目」及び「リーチ目」の出目が出現する確率が高くなるように形成する。さらに、「チャンス目」よりも「リーチ目」の出目の方が、フリーズ制御手段140によりボーナス当選になって実行されるフリーズ状態における擬似的な遊技において出現する確率が高くなるように形成する。このようにすると、複数回の擬似的な遊技におけるいずれかで、「チャンス目」の出目が出現することで、ボーナス当選の可能性が高いことを遊技者に報知することができ、また、複数回の擬似的な遊技におけるいずれかで、「リーチ目」の出目が出現することで、「チャンス目」の出目が出現した場合よりもさらにボーナス当選の可能性が高いことを遊技者に報知することができる。すなわち、演出の幅を広げることができ、ボーナス役に当選したかもしれないという期待感や高揚感を遊技者に持たせることができ、遊技の興趣を向上させることができる。
【０１１２】
また、例えば、擬似的な遊技における出目と演出との組み合わせによって、ボーナス当選の可能性を遊技者に報知することができる。具体的には、所定の擬似的な遊技において、ボーナス当選の可能性が高いことを示唆する演出を行うとともに、「リーチ目」の出目を出現させるようにすることができる。このようにしても、演出の幅を広げることができ、ボーナス役に当選したかもしれないという期待感や高揚感を遊技者に持たせることができ、遊技の興趣を向上させることができる。
また、上述した実施の形態において、フリーズ制御手段140は、解除抽選でフリーズ状態を終了することが決定された場合に、フリーズ状態を終了するものであったが、これに限定されるものではない。例えば、フリーズ制御手段140は、予め定められた所定時間が経過した場合にフリーズ状態を終了するようにしてもよい。この場合では、「所定回数目（例えば３回目）の擬似的な遊技で、「リーチ目」の出目や、所定の演出を出現させる」などと予め決定しておき、所定時間内に、所定回数目の擬似的な遊技を行うことができるか、その所定回数目の擬似的な遊技で「リーチ目」の出目等がみられるかどうかによって、ボーナス当選の可能性を遊技者に報知することができる。具体的には、フリーズ制御手段140によりボーナス当選になって実行されるフリーズ状態の方が、フリーズ制御手段140によるフリーズ実行抽選により実行されるフリーズ状態、すなわちボーナス当選以外で実行されるフリーズ状態よりも、少ない回数が選択されるようにするとともに、「リーチ目」の出目が出現する確率が高くなるように形成する。このようにすると、フリーズ制御手段140によりボーナス当選になって実行されるフリーズ状態における擬似的な遊技の方が、フリーズ制御手段140によるフリーズ実行抽選により実行されるフリーズ状態、すなわちボーナス当選以外で実行されるフリーズ状態よりも、所定時間内に所定回数目の擬似的な遊技を行うことができる可能性が高くなるとともに、その所定回数目の擬似的な遊技で「リーチ目」の出目が出現する確率が高くなる。このため、所定時間内に所定回数目の擬似的な遊技を行うことができるか、及びその所定回数目の擬似的な遊技で「リーチ目」の出目が出現するかといった点で、期待感や高揚感を遊技者に持たせることができる。そして、所定回数目の擬似的な遊技で、「リーチ目」の出目が出現した場合には、ボーナス役に当選したかもしれないという期待感や高揚感を遊技者に持たせることができるので、演出の幅を広げることができ、遊技の興趣を向上させることができる。
【０１１３】
また、この場合において、予め定めた回数（例えば３回）しか擬似的な遊技を行わないと予め決めたときには、予め定めた回数（例えば３回）の擬似的な遊技を行った後、所定時間が経過してフリーズ状態が終了するのを待つこととなる。また、この場合において、フリーズ状態中に、各スイッチ（ベットスイッチ32、スタートスイッチ33及びストップスイッチ34）の操作が行われなかった場合には、擬似的な遊技が行われないまま、所定時間が経過してフリーズ状態が終了することとなる。
また、上述した実施の形態のように、予め定められた回数の擬似的な遊技を行う場合であっても、所定時間を、予め定められた回数の擬似的な遊技を十分に行えるだけの時間に設定して、フリーズ状態中に、各スイッチ（ベットスイッチ32、スタートスイッチ33及びストップスイッチ34）の操作が行われなかったときには、擬似的な遊技が行われないまま、所定時間が経過してフリーズ状態が終了するようにしてもよい。
【０１１４】
また、上述した実施の形態において、回転制御手段170は、フリーズ状態において、停止又は仮停止している３個すべての回転リール45の回転を開始させて、加速処理及び定速処理を行うものであったが、これに限定されるものではない。すなわち、フリーズ状態における回転リール45の回転開始及び回転の動作は、様々な態様とすることができる。
フリーズ状態における回転リール45の「回転開始」の態様としては、例えば、（１）複数個の回転リール45のうちの全部又は一部を上下にガクガクと揺らす、（２）複数個の回転リール45のうちの全部又は一部を通常の方向（正方向）に通常とは異なる速度（通常よりも低速、または通常よりも高速）で回転を開始させる、（３）複数個の回転リール45のうちの全部又は一部を通常の方向にそれぞれ異なる速度で回転を開始させる、（４）複数個の回転リール45のうちの全部又は一部を通常とは反対方向（逆方向）にいずれかの速度で回転を開始させる、（５）複数個の回転リール45のうちの全部又は一部を通常の方向（正方向）に通常の速度で順次回転を開始させる、（６）複数個の回転リール45のうちの全部又は一部を通常とは反対方向（逆方向）にいずれかの速度で順次回転を開始させる、などの動作を行うことができる。
【０１１５】
また、フリーズ状態における回転リール45の「回転」の態様としては、（１）各回転リール45が通常の方向に通常とは異なる速度（通常よりも低速、又は通常よりも高速）で既に回転している場合に、その回転を停止させることなく、通常の方向かつ通常の速度での回転に変化（加速、または減速）させる、（２）各回転リール45が通常とは反対方向にいずれかの速度で既に回転している場合に、通常の方向かつ通常の速度での回転に変化（反転）させる、（３）各回転リール45がいずれかの方向にいずれかの速度で既に回転している場合に、その回転方向とは反対方向かついずれかの速度での回転に変化（反転）させる、などの動作を行うことができる。
【０１１６】
なお、各「回転開始」の動作と各「回転」の動作との組み合わせは、適宜行うことができるものであり、複数の「回転開始」の動作の組み合わせも、適宜行うことができるものである。
以下さらに、フリーズ状態における各回転リール45の動作パターンを示す。
例えば、回転制御手段170は、フリーズ状態において、停止又は仮停止している各回転リール45を上下にガクガクと揺らし、その後、各回転リール45を通常の方向に通常の速度で順次回転させ、その後、通常の加速処理及び定速処理を行うことができる。
また、例えば、回転制御手段170は、フリーズ状態において、停止又は仮停止している各回転リール45を通常の方向に通常よりも低速で回転させ、その後、この低速回転の状態から、通常の方向かつ通常の速度での回転に順次加速させ、その後、通常の定速処理を行うことができる。
【０１１７】
また、例えば、回転制御手段170は、フリーズ状態において、停止又は仮停止している各回転リール45を通常の方向にそれぞれ異なる速度で回転させ、その後、通常とは反対方向かつ通常の速度での回転に反転させ、その後、通常とは反対方向の回転のまま定速処理を行うことができる。
また、例えば、回転制御手段170は、フリーズ状態において、停止又は仮停止している各回転リール45を通常とは反対方向にいずれかの速度で回転させ、その後、通常の方向かつ通常の速度での回転に反転させ、その後、通常の定速処理を行うことができる。
また、例えば、回転制御手段170は、フリーズ状態において、停止又は仮停止している各回転リール45を通常とは反対方向にいずれかの速度で順次回転させ、その後、通常の方向かつ通常の速度での回転に反転させ、その後、通常の定速処理を行うことができる。
【０１１８】
なお、各回転リール45の回転方向について、通常の方向（正方向）とは、遊技機の前面に向かって左側から見て右回り（時計回り）、同右側から見て左回り（反時計回り）を意味し、通常とは反対方向（逆方向）とは、遊技機の前面に向かって左側から見て左回り（反時計回り）、同右側から見て右回り（時計回り）を意味するものである。
また、上述した実施の形態では、遊技機は、３個の回転リール45を備えるものであったが、これに限定されるものではない。例えば、回転リール45の数は４個以上としてもよく、この場合には、遊技用メインリールを３個とし、それ以外を演出用サブリールとすることができる。なお、演出用サブリールは、入賞判定手段120による入賞の判定には用いられないものである。
【０１１９】
本発明は、上述した実施の形態、変形例に限定されるものではなく、本発明の目的を達成できる範囲における変形および改良なども含むものである。また、本発明は、上述した実施の形態、変形例を適宜組み合わせる、または組み替えることもできる。
【符号の説明】
【０１２０】
10  スロットマシン（遊技機）           33  スタートスイッチ
34  ストップスイッチ                   45  回転リール
140  フリーズ制御手段                  150  フリーズ状態切替手段
170  回転制御手段                      180  スイッチ有効化手段
190  回転リール演出制御手段
【図１】
2011194146.tif 000003
【図２】
2011194146.tif 000004
【図３】
2011194146.tif 000005
【図４】
2011194146.tif 000006
【図５】
2011194146.tif 000007
【図６】
2011194146.tif 000008